(57)【要約】濯ぎ中の布帛のコンディショニングのための濯ぎで添加する組成物であり、より該組成物が柔軟剤活性物質、泡抑制系および界面活性剤スカベンジャーを含んでなり、洗剤界面活性剤残留物の存在下で使用したときに少なくとも９０％の泡低減値を有し、目視フロックを形成しないことを特徴とする組成物を提供する。【特許請求の範囲】
【請求項１】
濯ぎで添加する布帛コンディショニング組成物であって、該組成物は、
布帛柔軟剤活性物質；
泡抑制系；および
界面活性剤スカベンジャー；
を含んでなり、該組成物は、残留洗剤界面活性剤を含む濯ぎ浴溶液中に分配されたときに、少なくとも約９０％の泡低減値を有することを特徴とする、上記組成物。
【請求項２】
組成物が少なくとも約９５％の泡低減値を有する、請求項１に記載の組成物。
【請求項３】
泡低減値が少なくとも約９９％である、請求項１または２に記載の組成物。
【請求項４】
組成物が残留洗剤界面活性剤を含む濯ぎ浴溶液中に分配されたときに、該濯ぎ溶液に目視フロックが実質的に存在しないことを確実にするのに有効な量で、界面活性剤スカベンジャーが存在する、請求項１〜３のいずれか一項に記載の組成物。
【請求項５】
組成物が残留洗剤界面活性剤を含む濯ぎ浴溶液中に分配されたときに、該濯ぎ溶液に目視フロックが存在しないことを確実にするのに有効な量で、界面活性剤スカベンジャーが存在する、請求項４に記載の組成物。
【請求項６】
組成物が残留洗剤界面活性剤の存在下で使用されたときに、柔軟性且つ堅牢性を確実にするのに有効な量で界面活性剤スカベンジャーが存在する、請求項１〜５のいずれか一項に記載の組成物。
【請求項７】
布帛柔軟剤活性物質が、下記の群から選択される、請求項１〜６のいずれか一項に記載の組成物：
（ａ）下記一般式を有する柔軟剤活性物質：
｛Ｒ４−ｍ−Ｎ＋−［（ＣＨ２）ｎ−Ｙ−Ｒ１］ｍ｝Ｘ−
式中、各Ｒ置換基は、水素、短鎖Ｃ１〜Ｃ６、好ましくはＣ１〜Ｃ３アルキルまたはヒドロキシアルキル基、例えば、メチル、エチル、プロピル、ヒドロキシエチル等、ポリ（Ｃ２〜３アルコキシ）、好ましくはポリエトキシ、ベンジル、またはこれらの混合物のいずれかであり；各ｍは２または３であり；各ｎは１〜約４、好ましくは２であり；各Ｙは−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｙが−Ｏ−（Ｏ）Ｃ−または−ＮＲ−Ｃ（Ｏ）−のとき、各Ｒ１での炭素の合計に１を加えたものが、Ｃ１２〜Ｃ２２、好ましくはＣ１４〜Ｃ２０であって、各Ｒ１はヒドロカルビル、または置換ヒドロカルビル基であり、Ｘ−は柔軟剤と相溶性のあるいかなる陰イオンでもよく、好ましくは塩化物、臭化物、メチルスルフェート、エチルスルフェート、スルフェート、およびニトレートであり、より好ましくは塩化物またはメチルスルフェートである；
（ｂ）下記一般式を有する柔軟剤活性物質：
［Ｒ３Ｎ＋ＣＨ２ＣＨ（ＹＲ１）（ＣＨ２ＹＲ１）］Ｘ−
式中、各Ｙ、Ｒ、Ｒ１、およびＸ−は上記で規定のものと同一の意味を有する；および
（ｃ）下記式を有する柔軟剤活性物質：
［Ｒ４−ｍ−Ｎ＋−Ｒ１ｍ］Ｘ−
式中、各Ｒ、Ｒ１およびＸ−は、上記で規定のものと同一の意味を有する；
（ｄ）脂肪酸とオリゴアミンとの縮合生成物、但し、脂肪酸対オリゴアミンのモル比が約２：１であり、任意に、該縮合生成物がアルキル化剤の添加により四級化されている；および
（ｅ）これらの混合物。
【請求項８】
布帛柔軟剤活性物質が、組成物の約１％〜約９０％、好ましくは約１％〜約７０％、更に好ましくは約１％〜約４０％、更に一層好ましくは約２％〜約２５％である、請求項１〜７のいずれか一項に記載の組成物。
【請求項９】
界面活性剤スカベンジャーが、下記から選択される、請求項１〜８のいずれか一項に記載の組成物：
（ａ）下記一般式を有するスカベンジャー：
｛Ｒ３−Ｎ＋−［（ＣＨ２）ｎ−Ｙ−Ｒ１］｝Ｘ−
式中、各Ｒ置換基は、水素、短鎖Ｃ１〜Ｃ６、好ましくはＣ１〜Ｃ３アルキルまたはヒドロキシアルキル基、例えば、メチル、エチル、プロピル、ヒドロキシエチル等、ポリ（Ｃ２〜３アルコキシ）、好ましくはポリエトキシ、ベンジル、またはこれらの混合物のいずれかであり；各ｎは１〜約４、好ましくは２であり；各Ｙは−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｙが−Ｏ−（Ｏ）Ｃ−または−ＮＲ−Ｃ（Ｏ）−のとき、各Ｒ１での炭素の合計に１を加えたものが、Ｃ８〜Ｃ２２、好ましくはＣ８〜Ｃ２０であって、各Ｒ１はヒドロカルビル、または置換ヒドロカルビル基であり、Ｘ−は柔軟剤と相溶性のあるいかなる陰イオンでもよく、好ましくは塩化物、臭化物、メチルスルフェート、エチルスルフェート、スルフェート、およびニトレートであり、より好ましくは塩化物またはメチルスルフェートである；
（ｂ）下記一般式を有するスカベンジャー：
［Ｒ３Ｎ＋ＣＨ２ＣＨ（ＹＲ１）（ＣＨ２ＹＲ１）］Ｘ−
式中、各Ｙ、Ｒ、Ｒ１およびＸ−は前記で規定のものと同一の意味を有し、但し、１つのＹＲ１はＯＨである；かかる化合物には、下式を有するものが包含される：
［ＣＨ３］３Ｎ（＋）［ＣＨ２ＣＨ（ＣＨ２ＯＨ）Ｏ（Ｏ）ＣＲ１］Ｃｌ（−）
または
［ＣＨ３］３Ｎ（＋）［ＣＨ２ＣＨ（ＣＨ２Ｏ（Ｏ）ＣＲ１）ＯＨ］Ｃｌ（−）
式中、各Ｒはメチルまたはエチル基であり、好ましくは各Ｒ１はＣ７〜Ｃ１９の範囲内である；
（ｃ）下式を有するスカベンジャー：
［Ｒ３−Ｎ＋−Ｒ１］Ｘ−
式中、各Ｒ、Ｒ１およびＸ−は、前記で規定のものと同一の意味を有する；
（ｄ）脂肪酸とオリゴアミンとの縮合生成物、但し、脂肪酸対オリゴアミンのモル比が約２：１〜約１：１であり、好ましくは約１．６：１〜０．８：１であり、任意に、該縮合生成物がアルキル化剤の添加によって四級化されている；および
（ｅ）下式を有するスカベンジャー：
【化１】
2004525271.tif 000022
式中、ｙは約３〜約１０，０００、好ましくは約１０〜約５，０００、より好ましくは約２０〜約５００であり；任意に、１以上のポリビニルアミン主鎖−ＮＨ２単位の水素が式−（Ｃ（Ｏ）−Ｒ）−を有するアシル基（式中、Ｒは水素、短鎖Ｃ１〜Ｃ６、好ましくはＣ１〜Ｃ３アルキルまたはヒドロキシアルキル基、例えばメチル、エチル、プロピル、ヒドロキシエチル等、ポリ（Ｃ２〜３アルコキシ）、好ましくはポリエトキシ、ベンジル、またはそれらの混合物のいずれかである）で置換されうる；または上記水素が下式を有するアルキレンオキシ単位で置換されている：
【化２】
2004525271.tif 000023
式中、Ｒ１はＣ２〜Ｃ４アルキレンであり、Ｒ２は水素、Ｃ１〜Ｃ４アルキル、およびそれらの混合物であり；ｘは１〜５０である；
（ｆ）下式を有するスカベンジャー：
【化３】
2004525271.tif 000024
式中、Ｒは置換若しくは非置換Ｃ２〜Ｃ１２アルキレン、または置換若しくは非置換Ｃ２〜Ｃ１２ヒドロキシアルキレン、好ましくは、エチレンまたはプロピレンであり；各Ｒ１は独立してＣ１〜Ｃ４アルキル、Ｃ１〜Ｃ４ヒドロキシアルキルまたは水素、好ましくはメチルまたはエチルであり；各Ｒ２は独立してＣ１〜Ｃ２２アルキル、Ｃ３〜Ｃ２２アルケニル、水素、Ｒ５−Ｙ−（ＣＨ２）ｍ−であり（式中、Ｒ５はＣ１〜Ｃ２２アルキル、Ｃ３〜Ｃ２２アルケニル、およびそれらの混合物であり）；ｍは１〜約６であり；各Ｙは−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｘは陰イオンであり；任意であるが好ましくは、少なくとも１つのＲ２が、好ましくはＣ１〜Ｃ４アルキル、より好ましくはメチルであり；任意であるが好ましくは、少なくとも１つのＲ２はＣ１１〜Ｃ２２アルキル、Ｃ１１〜Ｃ２２アルケニル、およびこれらの混合物である；および
（ｇ）これらの混合物。
【請求項１０】
界面活性剤スカベンジャーが、布帛柔軟剤活性物質のモノアルキル変異体である、請求項１〜９のいずれか一項に記載の組成物。
【請求項１１】
界面活性剤スカベンジャーおよび布帛柔軟剤活性物質が、脂肪酸とオリゴアミンとの反応生成物であり、但し、脂肪酸対アミンのモル比が約２：１未満である、請求項１〜１０のいずれか一項に記載の組成物。
【請求項１２】
脂肪酸対アミンのモル比が、約１．６：１〜約１：１である、請求項１１に記載の組成物。
【請求項１３】
更に分散剤を含む、請求項１〜１２のいずれか一項に記載の組成物。
【請求項１４】
分散剤が下記から成る群より選択される一般式を有する界面活性剤である、請求項１３に記載の組成物：
ａ）Ｒ１−Ｙ−（Ｃ２Ｈ４Ｏ）Ｚ−Ｃ２Ｈ４ＯＨ
式中、Ｒ１は一級、二級および分枝鎖アルキルおよび／またはアシルおよび／またはヒドロカルビル基；一級、二級および分枝鎖アルケニルヒドロカルビル基、および一級、二級および分枝鎖アルキルおよびアルケニル置換フェノールヒドロカルビル基から成る群より選択され；上記ヒドロカルビル基が、８〜２０、好ましくは９〜１８の炭素原子のヒドロカルビル鎖長を有し；Ｙは−Ｏ−または−Ｃ（Ｏ）Ｏ−であり、ｚは好ましくは少なくとも４、より好ましくは７〜２５である；
ｂ）Ｒ１Ｏ（ＣＨ（Ｒ２）ＣＨ２Ｏ）ｘ（ＣＨ２ＣＨ２Ｏ）ｙＲ３またはＲ１Ｏ（ＣＨ２ＣＨ２Ｏ）ｘ（ＣＨ（Ｒ２）ＣＨ２Ｏ）ｙＲ３
式中、Ｒ１は上記のように定義され、Ｒ２はＣ１〜Ｃ３アルキル単位であり、Ｒ３は水素またはＣ１〜Ｃ３アルキルである；および
ｃ）ＨＯ（ＣＨ２ＣＨ２Ｏ）ｘ（ＣＨ（ＣＨ３）ＣＨ２Ｏ）ｙ（ＣＨ２ＣＨ２Ｏ）ｚＨ。
【請求項１５】
泡抑制系が、シリコーン消泡化合物、アルコール消泡化合物、脂肪酸、およびパラフィン消泡化合物、ポロキサマー、ポリプロピレングリコール、ジメチコーン、タロー誘導体、軽質石油炭化水素（light petroleum hydrocarbons）、脂肪酸エステル、一価アルコールの脂肪酸エステル、脂肪族Ｃ１８〜Ｃ４０ケトン、Ｎ−アルキル化アミノトリアジン、ビスステアリン酸アミド、モノステアリルホスフェート、リン酸エステル、および非イオン性ポリヒドロキシ誘導体、およびこれらの混合物である、請求項１〜１４のいずれか一項に記載の組成物。
【請求項１６】
組成物が安定剤を更に含む、請求項１〜１５のいずれか一項に記載の組成物。
【請求項１７】
安定剤が、キサンタンガムまたはその誘導体、アルギネートまたはその誘導体、グアー型多糖類またはその誘導体、多糖類ポリマー、例えばエトキシル化セルロース、カルボキシメチルセルロース、ヒドロキシメチルセルロース、ヒドロキシプロピルセルロース、ヒドロキシエチルセルロースおよびこれらの混合物等のような置換セルロース物質である、請求項１６に記載の組成物。
【請求項１８】
１以上の補助成分を更に含み、該補助成分が、ｐＨ調節助剤、金属イオン調節助剤、着色剤、光沢剤、香調剤、溶媒、汚れ放出剤、防腐剤、抗菌剤およびこれらの混合物を含む、請求項１〜１７のいずれか一項に記載の組成物。
【請求項１９】
ジアルキル置換四級アンモニウム化合物である布帛柔軟剤活性物質、および
該布帛柔軟剤活性物質のモノアルキル変異体である界面活性剤スカベンジャー、
を含んでなる布帛柔軟剤組成物あって、上記布帛柔軟剤活性物質および界面活性剤スカベンジャーが同一の出発物質から共に調製される、上記組成物。
【請求項２０】
布帛柔軟剤活性物質が、脂肪酸とオリゴアミンまたはアミノポリオールとの反応生成物であり、脂肪酸対オリゴアミンまたはアミノポリオールのモル比が約２：１未満であり、好ましくは、モノおよびジアルキル置換化合物の混合物を得るために約１．６：１〜約０．８：１である、請求項１９に記載の組成物。
【請求項２１】
四級アンモニウム化合物が、エステル基で置換されている、請求項１９または２０に記載の布帛柔軟剤組成物。
【請求項２２】
残留洗剤界面活性剤を含む洗濯用濯ぎ溶液中に分配されたときに、目視フロックが存在しない、請求項１９〜２１のいずれか一項に記載の組成物。
【請求項２３】
泡抑制系を更に含み、残留洗剤界面活性剤を含む洗濯用濯ぎ溶液中に分配されたときに、少なくとも約９０％の泡低減値を有する、請求項１９〜２２のいずれか一項に記載の組成物。
【請求項２４】
濯ぎ溶液中の泡生成を低減させると同時に該溶液中で濯がれる布帛に柔軟性を付与するための、請求項１〜２３のいずれか一項に記載の布帛コンディショニング組成物の使用。
【請求項２５】
布帛および残留洗剤界面活性剤を含む濯ぎ溶液中での目視沈澱物の生成を減少させるための、請求項１〜２３のいずれか一項に記載の布帛コンディショニング組成物の使用。
【請求項２６】
布帛の濯ぎ回数を制限することにより、家庭での洗浄過程中の水を保全するための、請求項１〜２３のいずれか一項に記載の布帛コンディショニング剤組成物の使用。
【請求項２７】
残留洗剤、泡、および／または汚れを除去するために必要な濯ぎの量を減少させることにより、家庭での洗浄過程中の労力を省くための、請求項１〜２３のいずれか一項に記載の布帛コンディショニング剤組成物の使用。
【請求項２８】
濯ぎ溶液中の泡生成を減少させると同時に該溶液中で濯がれる布帛に柔軟性を付与するための、布帛柔軟剤活性物質、泡抑制系、および界面活性剤スカベンジャーを含んでなる布帛コンディショニング組成物の使用。
【請求項２９】
洗濯物を手で濯ぐ、請求項２４〜２８のいずれか一項に記載の使用。
【請求項３０】
組成物が、高泡立ち洗剤で洗浄した後に使用される、請求項２４〜２８のいずれか一項に記載の使用。
【請求項３１】
予め水性洗剤液に接触させた布帛を、請求項１〜２３のいずれか一項に規定した組成物と接触させることにより、単一工程で布帛を濯ぎ且つ該布帛に柔軟性および新鮮さを付与する方法。
【請求項３２】
布帛洗浄後の最初の濯ぎサイクルで該布帛を上記組成物と接触させる、請求項３１に記載の方法。
【請求項３３】
下記の工程を含んでなる、布帛コンディショニング組成物を使用する洗濯操作で消費される水の量を低減させる方法：
布帛を水性洗剤溶液中で洗浄する工程；
水性洗剤溶液の大部分を除去する工程；および
洗浄した布帛を、水および本発明の布帛コンディショニング組成物を含む単一濯ぎ溶液中で濯ぐ工程であって、該濯ぎ工程中に残留洗剤および汚れを該布帛から除去し、且つ該布帛をコンディショニングする工程。
【発明の詳細な説明】
【技術分野】
【０００１】
本発明は、布帛(fabrics)用濯ぎ添加布帛コンディショニング組成物、特に布帛を洗剤組成物で洗濯した後の該布帛の手濯ぎ、並びに上部充填式非自動洗濯機および自動洗濯機における該布帛の濯ぎ中に使用する組成物に関する。本発明の組成物は、高発泡形成洗剤組成物中で洗浄された布帛の濯ぎにおいて、および該洗剤組成物の一部が布帛と共に濯ぎに持ち越される場合に使用するために特に採用される。
【背景技術】
【０００２】
現在の洗浄傾向は洗濯機の使用に拠る。洗濯機は、洗濯洗剤および柔軟剤組成物が２つの異なる隔室を介して洗濯機から分配されることにより、洗浄過程の初期に洗剤が自動的に放出され、濯ぎ過程、通常は最後の濯ぎ過程において柔軟化組成物が自動的に放出されることを確実にする。
【０００３】
大部分の発展途上国における消費者の洗浄慣習としては、非自動上部充填式洗濯機（すなわち、一方は洗浄若しくは濯ぎのため、もう一方は脱水のための、２つの分離した小区画を有する装置）、またはタライ若しくはバケツのいずれかを用いて衣服を洗浄している。タライまたはバケツでの洗浄とは、布帛を濡らし、洗剤で洗浄し、絞り、十分に水で濯ぐという多数の面倒な工程を伴う手動操作過程である。同様に、非自動上部充填式洗濯機においては、洗浄は、水を含有する小区画内に布帛を洗剤と共に入れ、攪拌を与えることを必要とする。続いて、布帛は洗剤液を含有する小区画から取り出され、洗剤および汚れの大部分を除去するために回転する回転小区画内に入れられる。洗剤液を他方の小区画から除去し、新しい水に取り換える。布帛は、濯ぎのために移し戻される。脱水および濯ぎという工程は、容認できるまで布帛を濯ぐため、多くの場合数回繰り返される。
【０００４】
手洗いおよび／または非自動上部充填式洗濯機での洗浄に特異的な態様は、水に対する洗剤の比率が高く、および／または水に対する布帛の比率が高い。実際には、こうした洗剤組成物で処理された布帛は、通常、残留洗剤を濯ぎ工程に運ぶ。近代的な（自動）洗濯機と比べて、手動洗浄および／または非自動上部充填式洗濯機での洗浄においては洗浄工程と濯ぎ工程との間の回転および／または絞りの効率が低いことから、この洗剤持ち越しの問題がより一層深刻である。
【０００５】
高泡立ち形成洗剤組成物の使用並びに布帛を手動および非自動で洗浄することは、一般にいかなる特定の地理的地域にも限定されない。近代的器具の使用が限られる特定の地方では手洗いおよび非自動洗浄の普及率が高いが、少なくとも特定の衣料品には、手動の濯ぎを含む手洗いの必要性が普遍的だと考えられる。例えば、「手で洗濯する」ことが必要な多くの衣類、特に「繊細な布帛」材料（すなわち、シルク）で製造されたもの、または「ソフトな織布」材料を含むもの（すなわち、ウールのニットセーター）が今なお存在する。「傷つきやすい」および「個人的」物品の洗濯も、一般的に該物品への損傷を防止するために手洗いを必要とする。
【０００６】
手での洗濯および／または上部充填式非自動洗濯機処理に現在使用されている従来の洗剤製品は、いわゆる「高泡立ち洗剤」である。これらの洗剤製品の一般に知られている１つの特徴は、攪拌ときに大量の泡が洗浄溶液の上部に出現することである。消費者が遭遇する問題は、これらの泡のかなりの部分が濯ぎ液に持ち越され、続く水での濯ぎおよび回転／絞りによる面倒な除去を必要とすることである。その結果、布帛の手での濯ぎおよびその際の過剰な発泡の欠点は消費者にはよく知られていることである。
【０００７】
このような洗剤組成物と共に布帛コンディショニング組成物を使用することは、更なる問題を生じ得る。実際に、柔軟剤活性物質は濯ぎ溶液中に存在する陰イオン性界面活性剤のような残留洗剤界面活性剤と相互に作用する可能性がある。結果として、それから生じる難溶性フロックが濯ぎ溶液の上部に浮かぶ。フロックの存在は、柔軟剤化合物の非水溶性および／または柔軟剤化合物と陰イオン性洗剤液との相互作用から生じると推測される。注目すべきことに、このようなフロックの形成は、洗浄サイクル中に布帛の洗濯のために高泡立ち形成剤組成物を使用している場合に特に面倒である。
【０００８】
さらに、柔軟剤化合物は、わずかに曇ったまたは濁った濯ぎ浴溶液を形成する傾向がある。濯ぎ溶液の透明性は、多くの場合、布帛が完全に濯がれたときの目安として消費者に認識されている。換言すれば、濯ぎ溶液が濁っているほど、消費者は濯ぎを多く実施する。したがって、曇った濯ぎ浴溶液を与える布帛コンディショニング組成物の使用は、消費者に布帛を過剰に濯がせてしまう可能性が懸念される。
【０００９】
布帛コンディショニング組成物をこのような洗剤と共に使用することの更なる問題は、布帛柔軟剤活性物質と残留洗剤界面活性剤との間の相互作用により最終効果を著しく低減させることにある。残留洗剤界面活性剤の存在下において従来のコンディショニング組成物で処理された布帛は、界面活性剤なしで使用したときに一般的に布帛コンディショニング組成物により付与される好ましい柔らかな手触りがない。理論に制限されずに、布帛柔軟剤活性物質と洗剤界面活性剤との間の相互作用は、前記布帛柔軟剤活性物質の効果を低減させると考えられている。
【発明の開示】
【発明が解決しようとする課題】
【００１０】
それ故に、洗剤が持ち越された状態で組成物が濯ぎ溶液に適用されたときに、泡の生成を低減させ、透明な濯ぎ溶液を提供し、および洗剤界面活性剤なしで使用した布帛コンディショニング組成物に一般的である柔らかな手触りを付与する布帛コンディショニング組成物の必要性が存在する。さらに、手動および非自動洗浄の負担を除去または緩和する一方、消費者が布帛コンディショニング組成物を高泡立ち形成洗剤組成物と組み合わせて使用することの利益を享受できるようにする方法または組成物の必要性が存在する。したがって、処理した布帛に柔軟性を提供すると同時に、布帛の手動処理で使用するためのとき有効な濯ぎ組成物の必要性が存在する。
【課題を解決するための手段】
【００１１】
本発明は、柔軟剤活性物質、泡抑制系および界面活性剤スカベンジャーを含んでなる布帛処理組成物であり、残留洗剤界面活性剤を含有する濯ぎ溶液に添加したときに少なくとも９０％の泡低減値を有し、フロックを形成せず、布帛に柔らかな手触り感覚を付与することを特徴とする組成物を提供する。本発明の組成物は、好ましくは柔軟剤活性物質、泡抑制剤、界面活性剤スカベンジャーおよび任意の補助剤成分を含む。
【００１２】
本発明は、処理布帛に柔軟性を付与し、濯ぎ溶液中の泡生成を低減させるための、柔軟剤活性物質、泡抑制剤、界面活性剤スカベンジャーおよび任意選択の補助剤成分を含む布帛コンディショニング組成物の濯ぎ溶液中への使用を提供する。
【００１３】
本発明は更に、濯ぎ溶液中のフロック形成を低減させるための、柔軟剤活性物質、泡抑制剤、界面活性剤スカベンジャーおよび任意の補助剤成分を含んでなる布帛コンディショニング組成物の濯ぎ溶液への使用を提供する。
【００１４】
本発明は更に、高泡立ち形成洗剤組成物中で洗浄された布帛を濯ぐための、柔軟剤活性物質、泡抑制剤、界面活性剤スカベンジャーおよび任意の補助剤成分を含む布帛コンディショニング組成物の濯ぎ溶液への使用を提供する。
【００１５】
本発明の方法の態様においては、予め水性洗剤液中で洗浄された布帛を本発明の組成物を含有する濯ぎ溶液と接触する工程を含む、洗濯された布帛の濯ぎ方法を提供する。
【００１６】
本発明の更なる方法の態様においては更に、布帛コンディショニング組成物を使用する洗濯操作で消費する水の量を減少させる方法であって、布帛を水性洗剤溶液中で洗浄する工程、排水、回転、絞り、部分的濯ぎまたはその他のいずれによるかにかかわらず、水性洗浄溶液の大部分を除去する工程、および洗浄した布帛を水並びに本発明の布帛コンディショニング組成物を含む濯ぎ溶液中で濯ぐ工程であり、但し、該濯ぎ工程中に残留洗剤および汚れが布帛から除去され布帛がコンディショニングされる濯ぎ工程を含んでなる方法が提供される。
【００１７】
本発明の更なる実施形態においては、柔軟剤活性物質、泡抑制剤、界面活性剤スカベンジャーおよび任意選択の補助剤成分を含んでなる布帛コンディショニング組成物、該布帛コンディショニング組成物用の容器、および該容器に付随する説明書一式を含んでなる製品が提供され、前記説明書がコンディショニング工程の前に大量の濯ぎを必要とすることなく洗濯した布帛を単一の濯ぎ溶液中で濯ぎ且つコンディショニングしてもよいという消費者への指示を含む。
【発明を実施するための最良の形態】
【００１８】
本明細書におけるすべてのパーセンテージ、比率および割合は特に指定のない限り重量による。温度は全て、特に指定のない限り、摂氏（℃）による。本明細書において引用した全ての文書はその全文を参考として本明細書に組み入れる。いずれの参照文献の引用も、特許請求されている本発明に対する先行技術としての利用可能性に関していかなる決定を容認するものではない。
【００１９】
本明細書で使用するとき、「アルキル」という用語は、直鎖状または分枝状、飽和または不飽和であるヒドロカルビル部分を意味する。特に指定しない限り、アルキル部分は、好ましくは飽和型、または二重結合を伴う不飽和型であって、好ましくは１つまたは２つの二重結合を伴う。用語「アルキル」には、アシル基のアルキル部分が包含される。
【００２０】
本明細書で使用するとき、「含む」は、最終結果に影響を与えないその他の工程や成分を付け加えることができるということを意味する。この用語は「から成る」および「から本質的に成る」という用語を含む。
【００２１】
本明細書で使用する「布帛物品」という用語は、規則的または不規則的に洗濯、コンディショニング、または処理される、任意の布帛、布帛含有、または布帛様品目を意味する。布帛物品の非限定例には、衣類、カーテン、寝具用リネン、壁掛け、織物、布等が挙げられる。好ましくは、布帛物品は織布物品であり、より好ましくは、布帛物品は衣類のような布帛物品である。さらに、布帛物品は、綿、ナイロン、レーヨン、ウール、シルク、ポリコットン、ポリステルなどの天然および合成材料で作製されてもよい。
【００２２】
本明細書で使用すると「洗濯残留物」という用語は、洗濯過程の洗浄サイクルの間に布帛上または洗浄液中のいずれかに存在する可能性があり、洗濯した布帛と共に濯ぎ浴溶液に運ばれるいかなる物質をも意味する。そのため、「洗濯残留物」には、残留汚れ、粒子状物質、洗浄性界面活性剤、洗浄性ビルダー、漂白剤、金属イオン、脂質、酵素、および洗浄サイクル溶液中に存在する可能性のあるその他のいかなる物質も包含されるが、これらに限定されない。さらに、過剰の洗濯液は、濯ぎ浴溶液に布帛を加えるのに先立って、布帛をねじり、絞り、脱水し、過剰の洗濯残留物を取り除くこともできる。しかし、このような洗濯残留物は、布帛を濯ぎ浴溶液に添加する前に完全に取り除かれる（すなわち、水で布帛から洗い流される）ことはない。
【００２３】
好ましくは、洗濯残留物には「界面活性剤残留物」が包含され、これは洗濯過程の洗浄サイクルの間に布帛上または洗浄液中のいずれかに存在することもでき、洗濯した布帛と共に濯ぎ浴溶液に運ばれる界面活性剤物質を意味する。界面活性剤残留物は、親水性／静電吸引力、カルシウム結合、および／または他の種類の弱い非共有結合により布帛表面および／または布帛繊維上に除去可能な形で付着している。
【００２４】
本明細書で使用するとき、「濯ぎ浴溶液」は洗浄に続く布帛の濯ぎに使用する溶液である。濯ぎ浴溶液は、自動若しくは非自動洗濯機で使用してもよく、または手洗いの場合には、簡便な容器、例えば、タライ若しくはバケツ中で使用してもよい。洗濯された布帛および付随する洗濯残留物および／または濯ぎ添加布帛処理組成物を導入する前の濯ぎ浴溶液は、最初は水である。
【００２５】
下記の説明および請求項で使用するとき「目に見える沈澱」または「フロック」とは、一般には本質的に不透明な凝集物を表す。このようなフロックは、必ずしも固体または緻密であるとは限らないが、裸眼で見て気付くに十分な大きさがあり、その最短軸線に沿って測定したときに約０．４ｍｍ以上である。
【００２６】
Ｉ．（本発明の組成物）
本発明の好ましい実施形態は、柔軟剤剤活性物質、泡抑制系および界面活性剤スカベンジャーを含んでなる濯ぎ添加布帛コンディショニング組成物であって、界面活性剤残留物を含有する濯ぎ溶液に添加したときに少なくとも約９０％での泡低減値を有し、フロックを形成せず、および布帛に柔らかな手触りを付与することを特徴とする組成物を提供する。
【００２７】
Ａ．柔軟剤活性物質
柔軟組成物に柔軟化合物（活性物質）を組み入れる典型的なレベルは、組成物の約１重量％〜約９０重量％、好ましくは約１重量％〜約７０重量％、更に好ましくは約１重量％〜約４０重量％、一層更に好ましくは約２重量％〜２５重量％である。
【００２８】
柔軟組成物は、陽イオン性、非イオン性、および／または両性化合物から選択することができる。陽イオン性柔軟化合物の典型は、本明細書で後に定義する四級アンモニウム化合物またはそのアミン前駆体である。
【００２９】
１．好ましい柔軟剤活性化合物
好ましい柔軟剤活性物質の第一の種類は、主要活性物質として下記式の化合物を含む：
｛Ｒ４−ｍ−Ｎ＋−［（ＣＨ２）ｎ−Ｙ−Ｒ１］ｍ｝Ｘ−          （１）
式中、各Ｒ置換基は水素、短鎖Ｃ１〜Ｃ６、好ましくはメチル、エチル、プロピル、ヒドロキシエチル等のＣ１〜Ｃ３アルキルまたはヒドロキシアルキル基、ポリ（Ｃ２〜３アルコキシ）、好ましくはポリエトキシ、ベンジル、またはこれらの混合物のいずれかであり；各ｍは２または３であり；各ｎは１〜約４、好ましくは２であり；各Ｙは−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｙが−Ｏ−（Ｏ）Ｃ−または−ＮＲ−Ｃ（Ｏ）−のとき、各Ｒ１の炭素の合計に１を加えたものがＣ１２〜Ｃ２２、好ましくはＣ１４〜Ｃ２０であり、各Ｒ１はヒドロカルビル、または置換ヒドロカルビル基であり、Ｘ−は柔軟剤及び相溶性のあるいかなる陰イオンでもよく、好ましくは塩化物、臭化物、メチルスルフェート、エチルスルフェート、スルフェート、およびニトレートであり、より好ましくは塩化物またはメチルスルフェートである；
好ましい柔軟剤活性物質の第二の種類は、下記一般式を有する：
［Ｒ３Ｎ＋ＣＨ２ＣＨ（ＹＲ１）（ＣＨ２ＹＲ１）］Ｘ−
式中、各Ｙ、Ｒ、Ｒ１およびＸ−は、上記で規定のものと同一の意味を有する。かかる化合物には、下記式を有するものを包含する：
［ＣＨ３］３Ｎ（＋）［ＣＨ２ＣＨ（ＣＨ２Ｏ（Ｏ）ＣＲ１）Ｏ（Ｏ）ＣＲ１］Ｃｌ（−）          （２）
式中、各Ｒはメチルまたはエチル基であり、好ましくは各Ｒ１はＣ１５〜Ｃ１９の範囲である本明細書で使用するとき、ジエステルが指定される場合、それには存在するモノエステルを包含し得る。
【００３０】
これらの種類の剤、およびその一般的製造法は１９７９年１月３０日にナイク（Naik）らに対して発行された米国特許番号第４，１３７，１８０号に開示されており、これを参考として引用し、本明細書に組み入れる。好ましいＤＥＱＡ（２）の例は、前記式を有する「プロピル」エステル四級アンモニウム柔軟剤剤活性物質、１，２−ジ（アシルオキシ）−３−トリメチルアンモニオプロパンクロリドである。
【００３１】
好ましい柔軟剤活性物質の第三の種類は、下記式を有する：
［Ｒ４−ｍ−Ｎ＋−Ｒ１ｍ］Ｘ−          （３）
式中、各Ｒ、Ｒ１およびＸ−は、上記で規定のものと同一の意味を有する。
【００３２】
好ましい柔軟剤活性物質の第四の種類は、下記式を有する：
【化１】
2004525271.tif 000002
式中、各Ｒ、Ｒ１、およびＡ−は上記の定義を有し；各Ｒ２はＣ１〜６アルキレン基、好ましくはエチレン基であり；およびＧは酸素原子または−ＮＲ−基である；
好ましい柔軟剤活性物質の第五の種類は、下記式を有する：
【化２】
2004525271.tif 000003
式中、Ｒ１、Ｒ２およびＧは上記のように定義される。
【００３３】
好ましい柔軟活性物質の第六の種類は、脂肪酸対ジアルキレントリアミンの、例えばモル比約２：１での縮合反応生成物であって、前記反応生成物が下記式の化合物を含有する：
Ｒ１―Ｃ（Ｏ）―ＮＨ―Ｒ２―ＮＨ―Ｒ３―ＮＨ―Ｃ（Ｏ）―Ｒ１          （６）
式中、Ｒ１、Ｒ２は上記のように定義され、各Ｒ３はＣ１〜６アルキレン基、好ましくはエチレン基であり、但し、該反応生成物はジメチルスルフェートのようなアルキル化剤の添加により任意に四級化されてもよい。このような四級化反応生成物は、１９９４年３月２２日アップヒューズ（Uphues）らに発行された米国特許第５，２９６，６２２号に更に詳細に記載されており、これを本願に引用し援用する。
【００３４】
好ましい柔軟剤活性物質の第七の種類は、下記式を有する：
［Ｒ１―Ｃ（Ｏ）―ＮＲ―Ｒ２―Ｎ（Ｒ）２―Ｒ３―ＮＲ―Ｃ（Ｏ）―Ｒ１］＋Ａ−          （７）
式中、Ｒ、Ｒ１、Ｒ２、Ｒ３およびＡ−は上記のように定義される；
好ましい柔軟活性物質の第八の種類は、脂肪酸対ヒドロキシアルキルアルキレンジアミンのモル比約２：１での反応生成物であって、前記反応性生物が下記式の化合物を含有する：
Ｒ１−Ｃ（Ｏ）−ＮＨ−Ｒ２−Ｎ（Ｒ３ＯＨ）−Ｃ（Ｏ）−Ｒ１          （８）
式中、Ｒ１、Ｒ２およびＲ３は上記のように定義される。
【００３５】
好ましい柔軟剤活性物質の第九の種類は、下記式を有する：
【化３】
2004525271.tif 000004
式中、Ｒ、Ｒ１、Ｒ２、およびＡ−は上記のように定義される。
【００３６】
化合物（１）の非限定例は、Ｎ，Ｎ−ビス（ステアロイルオキシエチル）Ｎ，Ｎ−ジメチルアンモニウムクロリド、Ｎ，Ｎ−ビス（タローオイルオキシエチル）Ｎ，Ｎ−ジメチルアンモニウムクロリド、Ｎ，Ｎ−ビス（ステアロイルオキシエチル）Ｎ−（２−ヒドロキシエチル）Ｎ−メチルアンモニウムメチルスルフェートである。
【００３７】
化合物（２）の非限定例は、１，２−ジ（ステアロイルオキシ）３−トリメチルアンモニウムプロパンクロリドである。
【００３８】
化合物（３）の非限定例は、ジキャノーラジメチルアンモニウムクロリド、ジ（ハード）タロージメチルアンモニウムクロリド、ジキャノーラジメチルアンモニウムメチルスルフェートのようなジアルキレンジメチルアンモニウム塩である。本発明に使用できる市販のジアルキレンジメチルアンモニウム塩は、ウィトコ・コーポレーション（Witco Corporation）よりアドゲン（Adogen）（登録商標）４７２の商品名で入手可能なジオレイルジメチルアンモニウムクロリドおよびアクゾノーベルアルクアッド（Akzo Nobel Arquad）２ＨＴ７５より入手可能なジハードタロージメチルアンモニウムクロリドである。
【００３９】
化合物（４）の非限定例は１−メチル−１−ステアロイルアミドエチル−２−ステアロイルイミダゾリニウムメチルサルフェートであり、上記式において、Ｒ１は非環式脂肪族Ｃ１５〜Ｃ１７の炭化水素基であり、Ｒ２はエチレン基であり、ＧはＮＨ基であり、Ｒ５はメチル基であり、およびＡ−はメチルサルフェート陰イオンであり、ウィトコ・コーポレーション（Witco Corporation）より商品名バリソフト（Varisoft）（登録商標）として市販されている。
【００４０】
化合物（５）の非限定例は、１−タローイルアミドエチル−２−タローイルイミダゾリンであり、上記式において、Ｒ１は、非環式脂肪族Ｃ１５〜Ｃ１７炭化水素基であり、Ｒ２はエチレン基であり、ＧはＮＨ基である。
【００４１】
化合物（６）の非限定例は、脂肪酸対ジエチレントリアミンのモル比約２：１での反応生成物であり、前記反応生成物混合物は下記式のＮ，Ｎ”−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１−Ｃ（Ｏ）は、ヘンケル・コーポレーション（Henkel Corporation）より入手可能なエマーソル（Emersol）（登録商標）２２３ＬＬまたはエマーソル（Emersol）（登録商標）７０２１のような、植物または動物資源起源で市販の脂肪酸のアルキル基であり
、Ｒ２およびＲ３は、二価のエチレン基である。
【００４２】
化合物（７）の非限定例は、二脂肪族アミドアミンをベースとする下記式を有する柔軟剤である：
Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１−Ｃ（Ｏ）はアルキル基であり、ウィトコ・コーポレーション（Witco Corporation）より、例えばバリソフト（Varisoft）（登録商標）２２２ＬＴの商品名で市販されている。
【００４３】
化合物（８）の例は、脂肪酸対Ｎ−２−ヒドロキシエチルエチレンジアミンのモル比約２：１での反応生成物であり、前記反応生成物混合物は下記式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、ヘンケル・コーポレーション（Henkel Corporation）より入手可能なエマーソル（Emersol）（登録商標）２２３ＬＬまたはエマーソル（Emersol）（登録商標）７０２１のような、植物または動物資源起源で市販の脂肪酸のアルキル基である。
【００４４】
化合物（９）の例は、下記式を有するジ四級化合物である：
【化４】
2004525271.tif 000005
式中、Ｒ１は脂肪酸起源で、該化合物はウィトコ・コーポレーション（Witco Company）より入手可能である。
【００４５】
上記で開示された布帛柔軟剤活性物質の組み合わせが、本発明での使用に好適であることは理解されるであろう。
【００４６】
陰イオンＡ
本明細書の陽イオン性窒素系塩において、陰イオンＡ−は柔軟剤に相溶性のあるいずれかの陰イオンであり、電気的中性を提供する。最も頻繁に、これらの塩において電気的中性を提供するために用いられる陰イオンは、強酸由来のものであり、特にハロゲン化物、例えば塩化物、臭化物、またはヨウ化物である。しかしながら、他の陰イオン、例えばメチルサルフェート、エチルサルフェート、アセテート、ギ酸塩、硫酸塩、炭酸塩なども用いることができる。塩化物およびメチルサルフェートは、本明細書において陰イオンＡとして好ましい。該陰イオンは、好ましくないが、二電荷を帯びることもでき、その場合Ａ−は１つの基の半分を表す。
【００４７】
Ｂ．泡抑制系
本発明の好ましい実施形態において、泡抑制系を用いることにより泡を低減させることができる。泡抑制系は、好ましくは組成物の約０．０１重量％〜約１０重量％、より好ましくは約０．０２重量％〜約５重量％、最も好ましくは約０．０５重量％〜約２重量％の
濃度で存在する。このような泡抑制系は、洗剤液が、例えば、従来のＣ１１〜Ｃ１８アルキルベンゼンスルホネート（「ＬＡＳ」）などの高発泡性界面活性剤を含む界面活性剤系で構成された洗剤から成る場合に、本発明の組成物にはより一層望ましい構成要素である。
【００４８】
多種多様な物質を泡抑制剤として用いてもよく、泡抑制剤は当該技術分野において周知である。例えば、カーク・オスマー（Kirk Othmer）の工業化学百科事典（Encyclopedia of Chemical Technology）３版第７巻の４３０〜４４７頁、（ジョン・ウィリー・アンド・サンズ社（John Wiley & Sons Inc.）、１９７９年）を参照のこと。
【００４９】
本明細書に用いるのに好適な泡抑制系は、本質的にいかなる既知の消泡化合物を含んでもよく、例えば、シリコーン消泡化合物、２−アルキルアルカノール消泡化合物のようなアルコール消泡化合物、脂肪酸、パラフィン消泡化合物、およびこれらの混合物が挙げられる。
【００５０】
消泡化合物は、本明細書においては洗剤組成物の溶液により生成される、特に溶液の攪拌下で生成される泡または泡立ちを抑制するように作用する任意の化合物または化合物の混合物を意味する。
【００５１】
本明細書での使用に特に好ましい消泡化合物は、シリコーン構成要素を含むいずれかの消泡化合物として本明細書で定義されるシリコーン消泡化合物である。かかるシリコーン消泡化合物は典型的にはシリカ構成成分も含有する。本明細書および産業界一般で使用する「シリコーン」という用語は、例えば、ポリジメチルシロキサン、ポリオルガノシロキサンオイルまたは樹脂の分散体またはエマルジョン、およびポリオルガノシロキサンとシリカ粒子の組み合わせなどのようなポリオルガノシロキサンオイルなどの、種々のシロキサン単位およびヒドロカルビル基を含有する多様な比較的高分子量のポリマーを包含するが、ここで、ポリオルガノシロキサンはシリカに化学吸着または融合している。シリコーン抑制剤は当業者に周知であり、例えば、１９８１年５月５日にガンドルホ（Gandolfo）らに発行された米国特許第４，２６５，７７９号および９９０年２月７日にＭ．Ｓ．スターチ（Starch）に発行された欧州特許出願ＥＰ−Ａ−第８９３０７８５１．９号（に開示されている。その他のシリコーン泡抑制剤は、米国特許第３，４５５，８３９号に開示されており、それは、少量のポリジメチルシロキサン流体をその中に組み入れることにより水溶液を脱泡する組成物および方法に関する。シリコーンとシラン化シリカの混合物は、例えば、ドイツ特許出願ＤＯＳ２，１２４，５２６に記載されている。顆粒状洗剤組成物におけるシリコーンの消泡剤および泡制御剤は、バートロッタ（Bartolotta）らへの米国特許第３，９３３，６７２号、および１９８７年３月２４日にバギンスキー（Baginski）らへ発行された米国特許第４，６５２，３９２号に開示されている。
【００５２】
好適なシリコーン消泡化合物の例は、ポリオルガノシロキサン、ダウ・コーニング（Dow Corning）、ワッカーケミ（Wacker Chemie）、およびゼネラルエレクトリック（General Electric）より市販されているシリカ粒子との組み合わせである。
【００５３】
他の適切な消泡化合物には、モノカルボキシ脂肪酸およびその可溶性塩が挙げられる。これらの物質は１９６０年９月２７日、ウェインセントジョン（Wayne St.John）に発行の米国特許第２，９５４，３４７号に記載されている。泡抑制系として使用されるモノカルボキシ脂肪酸およびその塩は、通常約１０〜約２４の炭素原子、好ましくは約１２〜約１８の炭素原子を有するヒドロカルビル鎖を有しており、例えば、商品名ＴＡＰＡＣとして市販されているタローアンホポリカルボキシグリシネート（tallow amphopolycarboxyglycinate）である。適切な塩には、ナトリウム塩、カリウム塩、およびリチウム塩のようなアルカリ金属塩、並びにアンモニウム塩およびアルカノールアンモニウム塩が挙げられる。
【００５４】
他の好適な消泡化合物としては、例えば、パラフィン、軽質石油無臭炭化水素（light petroleum odorless hydrocarbons）などの高分子量炭化水素、脂肪族エステル（例えば、脂肪酸ドリグリセリド、グリセリル誘導体、ポリソルベート）、一価アルコールの脂肪酸エステル、脂肪族Ｃ１８〜Ｃ４０ケトン（例えば、ステアロン）、Ｎ−アルキル化アミノトリアジン（例えば、塩化シアヌルおよび１〜２４の炭素原子を有する２または３モルの一級または二級アミンの生成物として形成されるトリ〜ヘキサアルキルメラミンまたはジ〜テトラアルキルジアミンクロルトリアジン）、プロピレンオキシド、ビスステアリン酸アミド、並びにモノステアリルアルコールリン酸エステルおよびモノステアリルジアルキル金属（例えば、Ｋ、Ｎａ、およびＬｉ）、ホスフェート並びにリン酸エステルなどのモノステアリルホスフェート、および非イオン性ポリヒドロキシル誘導体が挙げられる。パラフィンおよびハロパラフィンのような炭化水素は、液状形態で利用することができる。液状炭化水素は室温および大気圧にて流体であり、約−４０℃〜約５℃の範囲内の流動点および約１１０℃以上（大気圧）の最低沸点を有する。好ましくは約１００℃より低い融点を有する蝋状炭化水素を利用することもまた既知である。炭化水素泡抑制剤は、例えば、１９８１年５月５日ガンドルホ（Gandolfo）らに発行された米国特許第４，２６５，７７９号に記載されている。炭化水素は、したがって、約１２〜約７０の炭素原子を有する脂肪族、脂環式、芳香族、および複素環式の飽和または不飽和炭化水素を包含する。本泡抑制剤の論議で使用する用語「パラフィン」は、本物のパラフィンおよび環状炭化水素との混合物を包含することを意図する。
【００５５】
エチレンオキシドおよびプロピレンオキシドのコポリマー、特に約１０〜約１６の炭素原子のアルキル鎖長を有し、エトキシル化度が約３〜約３０、プロポキシル化度が約１〜約１０である混合エトキシル化／プロポキシル化脂肪族アルコールも、本明細書の使用に好適な消泡化合物である。
【００５６】
本明細書で有用なその他の泡抑制剤は、第二級アルコール（例えば、ＤＥ４０２１２６５に記載されている２−アルキルアルカノール）、並びに米国特許第４，７９８，６７９号、同第４，０７５，１１８号、およびＥＰ１５０，８７２に開示されるシリコーンのようなかかるアルコールとシリコーン油との混合物を含む。第二級アルコールには、Ｃ１〜Ｃ１６の鎖を有するＣ６〜Ｃ１６のアルキルアルコールが挙げられ、例えば、コンデア（Condea）より商品名イソフォール（ISOFOL）１６で市販されている２−ヘキシルデカノール、商品名イソフォール（ISOFOL）２０で市販されている２−オクチルドデカノール、および商標イソフォール（ISOFOL）１２で市販されている２−ブチルオクタノールである。好ましいアルコールは、商標イソフォール（ISOFOL）１２としてコンデア（Condea）より入手可能な２−ブチルオクタノールである。第二級アルコールの混合物は、商標イサルケム（ISALCHEM）１２３としてエニケム（Enichem）より入手可能である。混合された泡抑制剤は典型的には、重量比約１：５〜約５：１のアルコール対シリコーン混合物を含む。
【００５７】
例えば、食品添加物ハンドブック（Hand Book of Food Additives）、ＩＳＢＮ０−５６６−０７５９２−Ｘ、８０４頁に記載されているような他の好適な消泡剤は、ジメチコーン、ポリオキサマー、ポリプロピレングリコール、タロー誘導体、およびこれらの混合物から選択される。
【００５８】
上述の泡抑制系のうち、好ましいものはシリコーン消泡剤、特にポリオルガノシロキサンとシリカ粒子との組み合わせである。
【００５９】
Ｃ．界面活性剤スカベンジャー
本発明の好ましい界面活性剤スカベンジャーは、好ましくはモノアルキル第四級アンモニウム化合物およびそのアミン前駆体、ポリビニルアミン、ポリ第四級アンモニウム化合物およびそのアミン前駆体が包含される。
【００６０】
１．モノアルキル第四級アンモニウム化合物
本発明の好ましい組成物は、下記式を有するスカベンジャーを、少なくとも約０．５重量％、好ましくは約０．５重量％〜約５重量％、より好ましくは約１重量％〜約２０重量％含む：
ａ）下記一般式を有する第一の種類のスカベンジャー：
｛Ｒ３−Ｎ＋−［（ＣＨ２）ｎ−Ｙ−Ｒ１｝Ｘ−
式中、各Ｒ置換基は独立して水素、短鎖Ｃ１〜Ｃ６、好ましくはＣ１〜Ｃ３アルキルまたはヒドロキシアルキル基、（例えば、メチル、エチル、プロピル、ヒドロキシエチル等、ポリ（Ｃ２〜３アルコキシ）、好ましくはポリエトキシ、ベンジル、またはこれらの混合物のいずれかである）；各ｎは１〜約４、好ましくは２であり、各Ｙは−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｙが−Ｏ−（Ｏ）Ｃ−または−ＮＲ−Ｃ（Ｏ）−のとき、各Ｒ１の炭素の合計に１を加えたものが、Ｃ８〜Ｃ２２、好ましくはＣ８〜Ｃ２０であり、各Ｒ１はヒドロカルビル、または置換ヒドロカルビル基であり、Ｘ−は柔軟剤および相溶性があるいかなる陰イオンであり得、好ましくは塩化物、臭化物、メチルスルフェート、エチルスルフェート、スルフェート、およびニトレートであり、より好ましくは塩化物またはメチルスルフェートである；
ｂ）下記一般式を有する第二の種類のスカベンジャー：
［Ｒ３Ｎ＋ＣＨ２ＣＨ（ＹＲ１）（ＣＨ２ＹＲ１）］Ｘ−
式中、各Ｙ、Ｒ、Ｒ１およびＸ−は上記で規定のものと同一の意味を有し、但し、１つのＹＲ１はＯＨである。かかる化合物は、下記式を有するものを包含する：
［ＣＨ３］３Ｎ（＋）［ＣＨ２ＣＨ（ＣＨ２ＯＨ）Ｏ（Ｏ）ＣＲ１］Ｃｌ（−）
または
［ＣＨ３］３Ｎ（＋）［ＣＨ２ＣＨ（ＣＨ２Ｏ（Ｏ）ＣＲ１）ＯＨ］Ｃｌ（−）
式中、各Ｒはメチルまたはエチル基であり、好ましくは各Ｒ１はＣ７〜Ｃ１９の範囲内である。
【００６１】
ｃ）下記式を有するスカベンジャー：
［Ｒ３−Ｎ＋−Ｒ１］Ｘ−
式中、各Ｒ、Ｒ１およびＸ−は、上記で規定のものと同一の意味を有する。
【００６２】
ｄ）下記式を有するスカベンジャー：
【化５】
2004525271.tif 000006
式中、各Ｒ、Ｒ１、およびＡ−は上記の定義を有し；各Ｒ２はＣ１〜６アルキレン基、好ましくはエチレン基；並びにＧは酸素原子または−ＮＲ−基である；
または
【化６】
2004525271.tif 000007
式中、各Ｒ、Ｒ１、およびＡ−は上記の定義を有し；各Ｒ２はＣ１〜６アルキレン基、好ましくはエチレン基であり；並びにＫはＯＨまたは−ＮＲ２基である。
【００６３】
ｅ）下記式を有するスカベンジャー：
【化７】
2004525271.tif 000008
式中、Ｒ、Ｒ１、Ｒ２およびＧは上記のように定義される；
または
【化８】
2004525271.tif 000009
式中、Ｒ１、Ｒ２およびＫは上記のように定義される。
【００６４】
ｆ）脂肪酸対ジアルキレントリアミンの、例えばモル比約１：１での反応生成物であって、前記反応性生物が下記式の化合物を含有する：
Ｒ１―Ｃ（Ｏ）―ＮＨ―Ｒ２―ＮＨ―Ｒ３―ＮＨ―Ｃ（Ｏ）―Ｒ
式中、Ｒ、Ｒ１、Ｒ２は上記のように定義され、各Ｒ３はＣ１〜６アルキレン基、好ましくはジエチレントリアミンまたはＮ−ヒドロキシエチルエチレンジアミンのようなエチレン基である。このような反応生成物は、ジメチルスルフェートのようなアルキル化剤の添加により、任意に四級化されてもよい。四級化反応生成物は、１９９４年３月２２日アップヒューズ（Uphues）らに発行された米国特許第５，２９６，６２２号に更に詳細に記載されており、これを本願に参照として引用し組み入れる。
【００６５】
ｇ）下記式を有するスカベンジャー：
［Ｒ１―Ｃ（Ｏ）―ＮＲ―Ｒ２―Ｎ（Ｒ）２―Ｒ３―ＮＲ―Ｃ（Ｏ）―Ｒ］＋Ａ−
式中、Ｒ、Ｒ１、Ｒ２、Ｒ３およびＡ−は上記のように定義される；
ｈ）脂肪酸対ヒドロキシアルキルアルキレンジアミンのモル比約１：１での反応生成物であって、前記反応生成物が下記式の化合物を有する：
Ｒ１−Ｃ（Ｏ）−ＮＨ−Ｒ２−Ｎ（Ｒ３ＯＨ）−Ｃ（Ｏ）−Ｒ
式中、Ｒ，Ｒ１、Ｒ２およびＲ３は上記のように定義される。
【００６６】
ｉ）下記式を有するスカベンジャー：
【化９】
2004525271.tif 000010
式中、Ｒ、Ｒ１、Ｒ２、およびＡ−は上記のように定義される；
本発明の組成物に使用される柔軟剤がジアルキル置換四級アンモニウム化合物であり、界面活性剤スカベンジャーがモノアルキル第四級アンモニウム化合物である場合、該柔軟剤活性物質および界面活性剤スカベンジャーは同じ出発物質から標準的な反応化学により一緒に調製されることが好ましい。柔軟剤活性物質が脂肪酸およびオリゴアミンの反応生成物である場合、モノおよびジアルキル置換化合物の混合物を得るための脂肪酸対アミンのモル比は約２：１未満、好ましくは約１．６：１〜約０．８：１、より好ましくは約１．６：１〜約１：１である。より一般的には、柔軟剤活性化合物の変異型であるモノアルキル第四級アンモニウム化合物を選択することにより、最終組成物は相分離を起こす可能性が低くなる。理論に拘束されないが、モノアルキル第四級アンモニウム化合物は、最終生成物内でミセルを形成する傾向を有し得ることが観察されている。柔軟剤活性物質と相溶性があるかまたは柔軟剤活性物質の変異型であるモノアルキル第四級アンモニウム化合物を選択することにより、モノアルキル第四級アンモニウム化合物のミセル形成およびそれによる分離が誘発される傾向が大幅に低下する。したがって、本発明の組成物に使用する柔軟剤活性物質および界面活性剤スカベンジャーは同じ出発物質から共通の反応で合成されることが好ましい。
【００６７】
上記で開示されたスカベンジャー構造のすべての組み合わせが、本発明での使用に好適であることを理解するであろう。
【００６８】
陰イオンＡ
本明細書の陽イオン性窒素系塩において、陰イオンＡ−は柔軟剤に相溶性のあるいずれかの陰イオンであり、電気的中性を提供する。最も頻繁に、これらの塩において電気的中性を提供するために用いられる陰イオンは、強酸由来のものであり、特に、塩化物、臭化物、またはヨウ化物のようなハロゲン化物である。しかしながら、他の陰イオン、例えばメチルサルフェート、エチルサルフェート、アセテート、ギ酸塩、硫酸塩、炭酸塩なども用いることができる。塩化物およびメチルサルフェートは、本明細書において陰イオンＡとして好ましい。該陰イオンは、好ましくはないが、二電荷を帯びることもでき、その場合Ａ−は１つの基の半分を表す。
【００６９】
２．ポリビニルアミン
本発明による好ましい組成物は、下記式を有する１以上のポリビニルアミンを少なくとも約０．２重量％、好ましくは約０．２重量％〜約５重量％、より好ましくは約０．２重量％〜約２０重量％含む：
【化１０】
2004525271.tif 000011
式中、ｙは約３〜約１０，０００、好ましくは約１０〜約５，０００、より好ましくは約２０〜約５００である。本発明に用いるのに好適なポリビニルアミンは、ＢＡＳＦより入手できる。
【００７０】
任意に、１以上のポリビニルアミン主鎖−ＮＨ２単位水素を、式−（Ｃ（Ｏ）−Ｒ）−を有するアシル基で置換され得、式中Ｒは上記のように定義されるかまたは下記式を有するアルキレンオキシ単位である：
【化１１】
2004525271.tif 000012
式中、Ｒ１は、Ｃ２〜Ｃ４アルキレン、Ｒ２は水素、Ｃ１〜Ｃ４アルキル、およびこれらの混合物であり、ｘは１〜５０である。本発明の一実施形態において、ポリビニルアミンは、最初に窒素に２−プロピレンオキシ単位を直接結合する基質と反応し、続いて１モル以上のエチレンオキシドが反応して下記一般式を有する単位を形成する：
【化１２】
2004525271.tif 000013
式中、ｘは約１〜約５０の値である。上記のような置換は、省略式ＰＯ−ＥＯｘ−で表される。しかし、１より多いプロピレンオキシ単位を、アルキレンオキシ置換基に組み込むことができる。
【００７１】
３．ポリ−第四級アンモニウム化合物およびそのアミン前駆体
本発明の好ましい組成物は、下記式を有するスカベンジャーを、少なくとも約０．２重量％、好ましくは約０．２重量％〜約５重量％、より好ましくは約０．５重量％〜約１０重量％含む：
【化１３】
2004525271.tif 000014
式中、Ｒは置換または非置換Ｃ２〜Ｃ１２アルキレン、置換または非置換Ｃ２〜Ｃ１２ヒドロキシアルキレンであり；各Ｒ１は独立してＣ１〜Ｃ４アルキル、Ｃ１〜Ｃ４ヒドロキシアルキルまたは水素であり、各Ｒ２は独立してＣ１〜Ｃ２２アルキル、Ｃ３〜Ｃ２２アルケニル、水素、Ｒ５−Ｙ−（ＣＨ２）ｍ−、式中Ｒ５はＣ１〜Ｃ２２アルキル、Ｃ３〜Ｃ２２アルケニル、およびこれらの混合物であり；ｍは１〜約６であり；各Ｙは−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｘは陰イオンである。
【００７２】
好ましくは、Ｒはエチレンまたはプロピレンであり、Ｒ１はメチルまたはエチル、より好ましくはメチルであり、少なくとも１つのＲ２が好ましくはＣ１〜Ｃ４アルキル、より好ましくはメチルである。好ましくは、少なくとも１つのＲ２はＣ１１〜Ｃ２２アルキル、Ｃ１１〜Ｃ２２アルケニル、およびこれらの混合物である。
【００７３】
配合者は同様にＲ２がＲ５−Ｙ−（ＣＨ２）ｍ−部分であるように選択してもよく、式中、Ｒ５は１〜２２の炭素原子を有するアルキル部分であり、Ｙ単位が好ましくはタロー、（部分的）水素添加タロー、ラード、（部分的）水素添加ラード、植物油および／または（部分的）硬化植物油（例えばココヤシ油、パーム油、キャノーラ油、ベニバナ油、ピーナッツ油、ヒマワリ油、コーン油、大豆油、トール油、米糠油等、およびこれらの混合物から成る群）から選択されたトリグリセリド供給源由来のアシル単位であることを合わせて考えたときに、好ましくはアルキル部分である。
【００７４】
Ｒ５−Ｙ−（ＣＨ２）ｍ−部分を含んでなるポリ第四級アンモニウムスカベンジャーの例は、下記式を有する：
【化１４】
2004525271.tif 000015
式中、Ｒ１はメチルであり、１つのＲ２単位はメチルであって他のＲ２単位はＲ５−Ｙ−（ＣＨ２）ｍ−であり、式中、Ｒ５−Ｙ−はオレオイル単位であり、ｍは２に等しい。
【００７５】
別の非限定例は、下記のものである：
【化１５】
2004525271.tif 000016
式中、Ｘ−は柔軟剤に相溶性の陰イオンであり、好ましくは強酸の陰イオン、例えば、塩化物、臭化物、メチルサルフェート、エチルサルフェート、サルフェート、ニトレートおよびそれらの混合物であり、更に好ましくは塩化物およびメチルサルフェートである。
【００７６】
本発明の好ましい実施形態において、界面活性剤スカベンジャーは存在する布帛柔軟剤活性物質のモノアルキル変異型である。界面活性剤スカベンジャーおよび布帛柔軟剤活性物質は、モノアルキル置換（スカベンジャー）およびジアルキル置換（布帛柔軟剤活性物質）化合物の好ましい混合物が得られるように脂肪酸対アミンの比を調節することにより、同じ出発物質から標準の反応化学により調製される。このような化合物の非限定例は、脂肪酸対メチルジエタノールアミンの約２：１〜約１：１の比での反応生成物を、塩化メチルで四級化し、結果として、Ｎ，Ｎ−ビス（ステアロイルオキシエチル）Ｎ，Ｎ−ジメチルアンモニウムクロリドおよびＮ−（ステアロイルオキシエチル）Ｎ−ヒドロキシエチルＮ，Ｎジメチルアンモニウムクロリドの混合物になる。この化合物はＬＦ−ＤＥＥＤＭＡＣとして表される。
【００７７】
Ｄ．任意選択の補助成分
１．分散剤
本発明の布帛コンディショニング組成物は、濯ぎ液中の物質を懸濁させ、洗濯した布帛上にそれが付着するのを妨げるための任意選択の分散剤を含んでもよい。分散剤は、約０重量％〜約７重量％、より好ましくは約０．１重量％〜約５重量％、および更により好ましくは約０．２重量％〜約３重量％の濃度で、本明細書に記載されている組成物に有利に使用することができる。好ましくは、任意選択の分散剤は実質的に水溶性である。
【００７８】
分散剤としての使用に好適な非イオン性界面活性剤には、エチレンオキシドおよび任意にプロピレンオキシドと、脂肪族アルコール、脂肪酸、脂肪族アミン等との付加生成物が挙げられる。これらは、本明細書でエトキシル化脂肪族アルコール、エトキシル化脂肪酸、およびエトキシル化脂肪族アミンとして表される。本明細書に後述されている特定の種類のいかなるエトキシル化物質も、陰イオン性界面活性剤として使用できる。好適な化合物は、下記一般式を有する界面活性剤である：
Ｒ１−Ｙ−（Ｃ２Ｈ４Ｏ）Ｚ−Ｃ２Ｈ４ＯＨ
式中、Ｒ１は一級、二級および分枝鎖アルキルおよび／またはアシルおよび／またはアシルヒドロカルビル基；一級、二級および分枝鎖アルケニルヒドロカルビル基、および一級、二級および分枝鎖アルキルおよびアルケニル置換フェノールヒドロカルビル基から成る群から選択され；前記ヒドロカルビル基が約８〜約２０、好ましくは約９〜約１８の炭素原子のヒドロカルビル鎖長を有する。本明細書のエトキシル化非イオン性界面活性剤の一般式において、Ｙは典型的に−Ｏ−、−Ｃ（Ｏ）Ｏ−、好ましくは−Ｏ−であり、但し、Ｒ１は、存在する場合、本明細書に前述された意味を持ち、ｚは好ましくは少なくとも約４、より好ましくは約７〜約２５である。
【００７９】
下記一般式を有する化合物も好適である：
Ｒ１Ｏ（ＣＨ（Ｒ２）ＣＨ２Ｏ）ｘ（ＣＨ２ＣＨ２Ｏ）ｙＲ３またはＲ１Ｏ（ＣＨ２ＣＨ２Ｏ）ｘ（ＣＨ（Ｒ２）ＣＨ２Ｏ）ｙＲ３
式中、Ｒ１は上記のように定義され、Ｒ２はＣ１〜Ｃ３アルキル単位であり、Ｒ３は水素またはＣ１〜Ｃ３アルキルである。個々のアルコキシモノマーは、ブロック式にもランダムにも配列できる。非限定例は、ＢＡＳＦのプルラファック（Plurafac）界面活性剤である。
【００８０】
下記一般構造を有する、いわゆるプロピレンオキシド／エチレンオキシドブロックコポリマーも分散剤として好適である：
ＨＯ（ＣＨ２ＣＨ２Ｏ）ｘ（ＣＨ（ＣＨ３）ＣＨ２Ｏ）ｙ（ＣＨ２ＣＨ２Ｏ）ｚＨ
非限定例は、ＢＡＳＦのプルロニック（Pluronic）ＰＥ化合物である。
【００８１】
２．安定剤
シリコーンで製造される消泡物質の存在下では、シリコーン消泡剤、そしてさらには組成物に良好な安定性をもたらす構成要素を使用するのが好ましい。安定剤の一般的な濃度は、組成物の約０．０１重量％〜約２０重量％、好ましくは約０．０５重量％〜約８重量％、より好ましくは約０．１重量％〜約６重量％である。
【００８２】
本明細書に使用されるのに適切な安定剤としては、合成または天然に発生するポリマーが挙げられる。本明細書に用いるのに適切な安定剤としては、キサンタンガムまたはその誘導体、アルギネートまたはその誘導体、多糖類ポリマー、例えば、エトキシル化セルロール、カルボキシメチルセルロース、ヒドロキシメチルセルロース、ヒドロキシプロピルセルロース、ヒドロキシエチルセルロースのような置換セルロース物質、およびこれらの混合物が挙げられる。キサンタンガムが特に好ましい安定剤である。
【００８３】
本発明の組成物に使用するのに好ましい安定剤は、ケルコ・ディビジョン・オブ・マーク（Kelco Division of Merck）からケルトール（KELTROL）（登録商標）、ケルザン（KELZAN）ＡＲ（登録商標）、ケルザン（KELZAN）Ｄ３５（登録商標）、ケルザン（KELZAN）Ｓ（登録商標）、ケルザン（KELZAN）ＸＺ（登録商標）などの商品名で販売されているキサンタンガムまたはその誘導体である。
【００８４】
高分子汚れ放出剤は、本発明において安定剤としても有用である。これらとしては、ヒドロキシエーテルセルロースポリマー、エトキシル化セルロース、カルボキシメチルセルロース、ヒドロキシメチルセルロース、ヒドロキシプロピルセルロース、ヒドロキシエチルセルロースなどのセルロース誘導体が挙げられる。かかる作用剤は市販されており、メトセル（METHOCEL）（ダウ（Dow））のようなセルロースのヒドロキシエーテルが挙げられる。本明細書で使用するためのセルロース性汚れ放出剤には、Ｃ１〜Ｃ４アルキルおよびＣ４ヒドロキシアルキルセルロースから成る群より選択されるものも挙げられる。１９７６年１２月２８日ニコル（Nicol）らへ発行された米国特許第４，０００，０９３号を参照のこと。
【００８５】
３．ｐＨ調節剤
組成物のｐＨを種々のｐＨ酸性化剤を用いて調節してもよい。好ましい酸性化剤には、無機および有機酸、例えばクエン酸およびコハク酸のようなカルボン酸が挙げられ、特に好ましい酸性化剤は、塩酸およびリン酸のような無機酸が包含される。このような酸性化剤は、組成物のｐＨを好ましいレベルに調節するのに必要な濃度で使用される。一般的には、酸性化剤の濃度は組成物の約０．０１重量％〜約０．０２重量％である。
【００８６】
４．金属イオン制御剤
重金属イオン（ＨＭＩ）封鎖剤は、本明細書において最適な白色度およびＨＭＩの制御に有用な構成要素である。重金属イオン封鎖剤は、重金属イオンを封鎖する（キレート化）作用を行う構成要素を意味する。これらの構成成分は、カルシウムおよびマグネシウムキレート能力を有する可能性もあるが、それらは優先的に鉄、マンガン、および銅などの重金属イオンと結合する。これらの化合物は、一層望ましくは水が低品質の水道水のときであり、結果として高濃度ＨＭＩを含む。
【００８７】
重金属イオン封鎖剤は、好ましくは組成物の約０．００５重量％〜約２０重量％、より好ましくは約０．１重量％〜約１０重量％、最も好ましくは約０．２重量％〜約５重量％の濃度で存在する。
【００８８】
例えば、リン酸若しくはカルボン酸官能基を有する本来は酸性の重金属イオン封鎖剤は、酸の形態で存在してもよいし、またはアルカリ若しくはアルカリ金属イオン、アンモニウム若しくは置換アンモニウムイオン、またはこれらの混合物のような好適な対陽イオンとの錯体／塩として存在してもよい。好ましくはいかなる塩／錯体も水溶性である。前記対陽イオン対重金属イオン封鎖剤のモル比は、好ましくは少なくとも約１：１である。
【００８９】
本明細書の使用に好適な重金属イオン封鎖剤としては、アミノアルキレンポリ（アルキレンホスホネート）およびニトリロトリメチレンホスホネートなどオルガノアミノホスホネートが挙げられる。好ましいオルガノアミノホスホネートには、ジエチレントリアミンペンタ（メチレンホスホネート）およびヘキサメチレンジアミンテトラ（メチレンホスホネート）が挙げられる。
【００９０】
本明細書での使用に適切な他の重金属イオン封鎖剤としては、ニトリロ三酢酸、およびエチレンジアミノ四酢酸、エチレントリアミン五酢酸、またはエチレンジアミンニコハク酸などのポリアミノカルボン酸が挙げられる。さらに適切な物質は、エチレンジアミン−Ｎ，Ｎ’−ジコハク酸（ＥＤＤＳ）で、最も好ましくはそのＳ，Ｓ異性体の形態で存在するもので、これは生分解特性のためにも好ましい。
【００９１】
本明細書での使用に一層好適な他の重金属イオン封鎖剤は、ＥＰ−Ａ−３１７，５４２およびＥＰ−Ａ−３９９，１３３に記載されている、２−ヒドロキシエチル二酢酸またはグリセリルイミノ二酢酸などのイミノ二酢酸誘導体である。
【００９２】
５．着色剤および光沢剤
ａ）染料
組成物の審美性を改善するために、本発明の組成物は任意に染料またはその他の着色剤を含有してもよい。存在する場合は、染料は、組成物約０．００５重量％未満、更により好ましくは約０．００２重量％未満を好ましくは含む。染料は当該技術分野において周知であり、種々の市販供給元から入手可能である。
【００９３】
ｂ）光沢剤
本発明で有用である可能性がある市販の光学的光沢剤は、必ずしも限定するものではないが、スチルベンの誘導体、ピラゾリン、クマリン、カルボン酸、メチンシアニン、ジベンゾチオフェン−５，５−ジオキシド、アゾール、５−および６−員の複素環、およびその他の多方面に亘る作用剤を包含するサブグループに分類することができる。かかる光沢剤の例は、ニューヨーク、ジョン・ウイリー＆サンズ（John Wiley & Sons）により１９８２年に出版されたＭ．ザラディニック（Zahradnik）著、「蛍光光沢剤の製造および適用（The Production and Application of Fluorescent Brightening Agents）」に開示されている。
【００９４】
本組成物で有用な光学的光沢剤の具体例は、１９８８年１２月１３日にウィクソン（Wixon）へ発行された米国特許第４，７９０，８５６号で同定されるものである。このような光沢剤には、ベロナ（Verona）のフォルホワイト（PHORWHITE）シリーズの光沢剤が挙げられる。この引用文献で開示されるその他の光沢剤には、チノパル（Tinopal）ＵＮＰＡ、チノパルＣＢＳおよびチノパル５ＢＭ；チバ−ガイギー（Ciba-Geigy）から入手可能なもの；イタリアにあるヒルトンデービス（Hilton−Davis）から入手可能なアーチックホワイト（Artic White）ＣＣおよびアーチックホワイトＣＷＤ；２−（４−ストリル−フェニル）−２Ｈ−ナフトール［１，２−ｄ］トリアゾール；４，４’−ビス−（１，２，３−トリアゾール−２−イル）−スチル−ベン；４，４’−ビス（ストリル）ビスフェニル；およびアミノクマリンが挙げられる。このような光沢剤の具体例には、４−メチル−７−ジエチルアミノクマリン；１，２−ビス（−ベンズイミダゾール−２−イル）エチレン；１，３−ジフェニル−フラゾリン；２，５−ビス（ベンゾキサゾール−２−イル）チオフェン；２−ストリル−ナフト−［１，２−ｄ］オキサゾール；および２−（スチルベン−４−イル）−２Ｈ−ナフト−［１，２−ｄ］トリアゾールが挙げられる。１９７２年２月２９日にハミルトン（Hamilton）へ発行された米国特許第３，６４６，０１５号を参照のこと。アニオン性光沢剤が本明細書では好ましい。
【００９５】
さらに具体的には、本発明で有用な親水性の光学的光沢剤は、下記構造式を有するものである：
【化１６】
2004525271.tif 000017
式中、Ｒ１は、アニリノ、Ｎ−２−ビス−ヒドロキシエチルおよびＮＨ−２−ヒドロキシエチルから選択され；Ｒ２は、Ｎ−２−ビス−ヒドロキシエチル、Ｎ−２−ヒドロキシエチル−Ｎ−メチルアミノ、モルフィリノ、クロロおよびアミノから選択され；Ｍは、ナトリウムまたはカリウムのような塩を形成する陽イオンである。
【００９６】
前記式において、Ｒ１がアニリノ、Ｒ２がＮ−２−ビス−ヒドロキシエチル、およびＭがナトリウムのような陽イオンである場合、光沢剤は４，４’−ビス［（４−アニリノ−６−（Ｎ−２−ビス−ヒドロキシエチル）−ｓ−トリアジン−２−イル）アミノ］−２，２’−スチルベンジスルホン酸および二ナトリウム塩である。この特定の光沢剤種は、チバガイギー・コーポレーション（Ciba-Geigy Corporation）により商品名チノパル（Tinopal）−ＵＮＰＡ−ＧＸ（登録商標）として市販されている。チノパル（Tinopal）−ＵＮＰＡ−ＧＸは、本明細書の濯ぎ用添加組成物において有用な、好ましい親水性光学的光沢剤である。
【００９７】
前記式において、Ｒ１がアニリノ、Ｒ２がＮ−２−ヒドロキシエチル−Ｎ−２−メチルアミノ、およびＭがナトリウムのような陽イオンである場合、光沢剤は４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム塩である。この特別の光沢剤種は、チバガイギー・コーポレーション（Ciba Geigy Corporation）により商品名チノパル（Tinopal）−５ＢＭ−ＧＸ（登録商標）のもとで市販されている。
【００９８】
前記式において、Ｒ１がアニリノ、Ｒ２がモルフィリノ、およびＭがナトリウムのような陽イオンである場合、光沢剤は４，４’−ビス［（４−アニリノ−６−モルフィリノ−ｓ−トリアジン−２−イル）アミノ］２，２’−スチルベンジスルホン酸のナトリウム塩である。この特定の光沢剤種は、チバガイギー・コーポレーション（Ciba Geigy Corporation）により商品名チノパル（Tinopal）−ＡＭＳ−ＧＸ（登録商標）として市販されている。
【００９９】
６．臭気抑制剤（香調剤）
臭気抑制に使用される物質は、それぞれトリン（Trinh）らに発行された１９９６年７月９日の米国特許第５，５３４，１６５号、１９９６年１１月２６日の第５，５７８，５６３号；１９９７年９月２日の第５，６６３，１３４号；１９９７年９月１６日の第５，６６８，０９７号；１９９７年９月２３日の第５，６７０，４７５号；および１９９８年２月３日の第５，７１４，１３７号、に開示されている種類のものであってよく、前記特許のすべては参考として引用し、本明細書に組み入れられる。かかる組成物は幾つかの異なった任意の臭気抑制剤を含有することができる。
【０１００】
ａ）プロパヒューム（Pro-perfume）
プロパフュームは悪臭のマスキングのために有用でもある。プロパフュームは、化学結合が解裂することにより所望の香りおよび／または香料分子を放出する香料前駆体として定義される。一般的に、プロパフュームを形成するためには、所望の香料原料を、キャリア、好ましくはわずかに揮発性または中程度に揮発性のキャリアと化学的に連結させる。この組み合わせにより揮発性の低下した、より疎水性のプロパヒューム（pro-perfume）が得られ、その結果布帛物品上への付着量が増加する。次いで香料は、ｐＨの変化（例えば、着用中の発汗などによる）、保存または乾燥中における空気中の湿気、熱、酵素の作用、および／または太陽光のいずれかにより香料原料およびキャリアの結合が解裂することにより放出される。ゆえに、悪臭は香料原料の放出により有効にマスキングされる。
【０１０１】
プロパフュームに使用される香料原料は、一般的に、アルコール、アルデヒド、および／またはケトン基などを含有する飽和または不飽和の揮発性化合物である。本明細書に有用な香料原料としては、任意の芳香性物質または、天然（すなわち、花、薬草、葉、根、樹皮、木、樹花、または作物の抽出により得られる物質）、人工（すなわち、異なる天然油または油構成成分の混合物）、および合成（すなわち、合成により製造されたもの）の香気性物質を含む混合物が挙げらる。かかる物質は多くの場合、固着剤、展延剤、安定剤、および溶媒などの補助物質を伴う。これらの補助剤はまた本明細書で使用する場合、「香料」（erfume）の意味に包含される。一般に、香料は複数の有機化合物の複雑な混合物である。
【０１０２】
ｂ）シクロデキストリン
本明細書において使用される「シクロデキストリン」という用語には、６〜１２のグルコース単位を含有する非置換シクロデキストリンのような任意の既知のシクロデキストリン、特にα−シクロデキストリン、β−シクロデキストリン、γ−シクロデキストリンおよび／またはそれらの誘導体、および／またはそれらの混合物を包含する。α−シクロデキストリンは６のグルコース単位からなり、β−シクロデキストリンは７のグルコース単位からなり、γ−シクロデキストリンは８のグルコース単位からなり、グルコース単位はドーナツ環形状に配置される。グルコース単位の特異的なカップリングおよび配置により特定の容量の中空の内部と共に、剛性の円錐状の分子構造がシクロデキストリンに与えられている。各内部の空洞の「内張り」（lining）は水素原子およびグリコシド架橋する酸素原子により形成され、従ってこの表面は、かなり疎水性である。空洞の独特の形状および物理化学的特性は、シクロデキストリン分子が、空洞に取り付くことができる有機分子または有機分子の一部を吸収すること（それと共に包接錯体を形成する）を可能にしている。多数の悪臭分子および香料分子を含みながら、多数の臭いのある分子が空洞に取り付き得る。従って、シクロデキストリン、特に異なった大きさの空洞を有するシクロデキストリンの混合物は、反応性の官能基を含有していてもいなくてもよい有臭有機物質の広域スペクトルにより生じる臭いを制御するのに用いることができる。
【０１０３】
シクロデキストリンおよび臭いのある分子の錯体形成は水の存在下で急速に起きる。しかしながら、錯体形成の程度は、吸収される分子の極性にも依存する。水溶液中では、親水性の強い分子（非常に水溶性であるもの）はあるとしても部分的に吸収されるにすぎない。従って、一部の非常に低分子量の有機アミンおよび酸が低い濃度で存在する場合、シクロデキストリンはそれらとは効果的に錯体を形成しない。しかしながら、水を除いた、例えば、布帛を乾かしたとき、一部の低分子量の有機アミンおよび酸はより大きな親和性を有し、シクロデキストリンとより容易に錯体を作るようになる。
【０１０４】
本発明で有用であるシクロデキストリンは、α−シクロデキストリンおよび／若しくはその誘導体、γ−シクロデキストリンおよび／若しくはその誘導体、誘導体化されたβ−シクロデキストリン、並びに／またはこれらの混合物のように水溶性が高い。シクロデキストリン誘導体は主に、ＯＨ基のいくつかがＯＲ基に変換された分子からなる。シクロデキストリン誘導体には、例えば、メチル化したシクロデキストリン、およびエチル化したシクロデキストリンのような短鎖アルキル基を有するシクロデキストリンであり、但し、Ｒがメチルまたはエチル基であるもの；ヒドロキシプロピルシクロデキストリンおよび／またはヒドロキシエチルシクロデキストリンのようなヒドロキシアルキル置換基を持つものであり、但し、Ｒは−ＣＨ２−ＣＨ（ＯＨ）−ＣＨ３または−ＣＨ２ＣＨ２−ＯＨ基であるもの；マルトース結合のシクロデキストリンのような分岐鎖状シクロデキストリン；２−ヒドロキシ−３−（ジメチルアミノ）プロピルエーテルを含有し、但し、ＲはｐＨの低い陽イオンであるＣＨ２−ＣＨ（ＯＨ）−ＣＨ２−Ｎ（ＣＨ３）２である陽イオンシクロデキストリン；例えば、２−ヒドロキシ−３−（トリメチルアンモニオ）プロピルエーテルクロリド基であり、但し、ＲはＣＨ２−ＣＨ（ＯＨ）−ＣＨ２−Ｎ＋（ＣＨ３）３Ｃｌ−である四級アンモニウム；カルボキシメチルシクロデキストリン、シクロデキストリンサルフェート、およびシクロデキストリンスクシニレートのような陰イオンシクロデキストリン；カルボキシメチル／四級アンモニウムシクロデキストリンのような両性シクロデキストリン；本明細書に参考として引用し組み入れた第７回国際シクロデキストリンシンポジウム要項集、１９９４年４月４９頁のＦ．ダイダイニ−ピラード（F.Diedaini−Pilard）およびＢ．パーリー（B.Perly）による「シクロデキストリンの最小の化学修飾による最適な性能（Optimal Performances with Minimal chemical Modification of Cyclodextrins）」）に開示されたシクロデキストリンであり、その少なくとも１個のグルコピラノース単位が３−６−無水−シクロマルト構造、例えば、モノ−３−６−無水シクロデキストリンを有するシクロデキストリン；およびそれらの混合物が挙げられる。他のシクロデキストリン誘導体は、米国特許第３，４２６，０１１号；第３，４５３，２５７号；第３，４５３，２５８号；第３，４５３，２５９号；第３，４５３，２６０号；第３，４５９，７３１号；第３，５５３，１９１号；第３，５６５，８８７号；第４，５３５，１５２号；第４，６１６，００８号；第４，６７８，５９８号；第４，６３８，０５８号；および第４，７４６，７３４号に開示されている。
【０１０５】
水溶性の高いシクロデキストリンとは、水への溶解度が室温で１００ｍｌ中の水に少なくとも約１０ｇ、好ましくは１００ｍｌ中の水に少なくとも約２０ｇ、更に好ましくは室温で１００ｍｌ中の水に少なくとも約２５ｇであるシクロデキストリンである。可溶化非錯体型のシクロデキストリンの有用性が、効果的および効率的な匂いの調節性能に必須である。可溶化された、水溶性シクロデキストリンは、面、特に布帛に付着されると非水溶性シクロデキストリンよりもより効率的な臭気抑制性能を示すことができる。
【０１０６】
本明細書での使用に好適な好ましい水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリンおよびヒドロキシプロピルβ−シクロデキストリンである。ヒドロキシアルキルシクロデキストリン誘導体は好ましくは約１〜約１４、更に好ましくは約１．５〜約７の置換度を有し、但し、シクロデキストリン当りのＯＲ基の総数が置換度として定義される。メチル化シクロデキストリン誘導体は通常、約１〜約１８、好ましくは約３〜約１６の置換度を有する。既知のメチル化β−シクロデキストリンは、普通ＤＩＭＥＢとして知られるヘプタキス−２，６−ジ−Ｏ−メチル−β−シクロデキストリンであり、但し、各グルコース単位は、約１４の置換度と共に約２のメチル基を有する。好ましく、さらに市販されているメチル化β−シクロデキストリンは、通常約１２．６の異なった置換度を有する、一般にＲＡＭＥＢとして知られる、ランダムにメチル化されたβ−シクロデキストリンである。ＤＩＭＥＢは、好ましい界面活性剤の表面活性にＲＡＭＥＢよりも大きく影響するので、ＲＡＭＥＢの方がＤＩＭＥＢよりも好ましい。好ましいシクロデキストリンは、例えば、セレスター（Cerestar）ＵＳＡ社およびワッカーケミカルズ（Wacker Chemicals）社（米国）から入手可能である。
【０１０７】
シクロデキストリンの混合物を使用することも好ましい。かかる混合物は、より幅広い範囲の分子サイズを有するより幅広い範囲の有臭分子と錯体化することにより、より幅広く臭いを吸収する。好ましくは、シクロデキストリンの少なくとも一部分は、α−シクロデキストリンおよびその誘導体、γ−シクロデキストリンおよびその誘導体、および／または誘導体化されたβ−シクロデキストリンであり、更に好ましくは、α−シクロデキストリン、またはα−シクロデキストリン誘導体および誘導体化されたβ−シクロデキストリンの混合物であり、一層更に好ましくは、誘導体化されたα−シクロデキストリンと誘導体化されたβ−シクロデキストリンとの混合物であり、最も好ましくは、ヒドロキシプロピルα−シクロデキストリンとヒドロキシプロピルβ−シクロデキストリンとの混合物、および／またはメチル化α−シクロデキストリンとメチル化β−シクロデキストリンとの混合物である。
【０１０８】
ｃ）香料
本明細書で使用する用語「香料」は、水性の濯ぎ浴溶液中および／またはそれに接触した布帛に連続的に放出される任意の有臭物質を示すのに用いられる。香料は室温では液状であることが最も多い。アルデヒド、ケトン、およびエステルのような物質を含んでなる多種多様な化合品が香料用途として知られている。さらに一般的には、種々の化学成分の複合混合物で構成される、天然に発生する植物油、動物油、および滲出物も香料としての用途が知られている。本明細書の香料は、その組成物において比較的単純であることができるか、または天然および合成化学構成要素の高度に洗練された複合混合物を含むことができ、すべて任意の所望の香りを提供するために選択される。一般的な香料は、例えば、ビャクダン、シベット、およびパチョリ油のような異国情緒の物質を含有する木質／素朴な基剤を含むことができる。香料は、例えば、バラ抽出物、スミレ抽出物、およびライラックのような軽い花の芳香であることができる。香料は、例えば、ライム、レモン、およびオレンジのような所望の果実の香りを提供するように処方することもできる。さらに、一般的に皮膚に直接塗布するいわゆる「デザイナーフレグランス（designer fragrances）」を本発明の組成物に使用してもよいことが予期される。同様に、香料は、気分をやわらげたり、活力を与えたりなどのアロマセラピー効果のために選択することもできる。そのように心地よいまたは望ましい匂いを発散する任意の物質を、香料活性物質として本発明の組成物に使用し得る。
【０１０９】
ｄ）それらの混合物
上述の任意の臭気抑制剤の混合物は、特に混合物が広範囲の臭気を抑制する場合には望ましい。
【０１１０】
７．溶媒
任意ではあるが好ましい別の成分は、液状キャリアである。本組成物に使用される液状キャリアは、低コスト、相対的な利便性、安全性、および環境適合性の理由から、いかなるものよりも水が好ましい。液状キャリア中の水の濃度は、好ましくは、キャリアの少なくとも約５０重量％、最も好ましくは少なくとも約６０重量％である。水と、約２００以下などの低分子量、およびエタノール、プロパノール、イソプロパノールまたはブタノールなどの低級アルコールのような有機溶媒の混合物は、液状キャリアとして有用である。低分子量アルコールとしては、一価、二価（グリコールなど）、三価（グリセロールなど）、およびより高級多価（ポリオール）のアルコールが挙げられる。
【０１１１】
８．汚れ放出ポリマー
汚れ放出剤は、任意に組成物に組み入れてもよい。好ましくは、かかる汚れ放出剤はポリマーである。好ましい汚れ放出剤の１つのタイプは、エチレンテレフタレートおよびポリエチレンオキシド（ＰＥＯ）テレフタレートのランダムブロックを有するコポリマーである。この高分子汚れ放出剤の分子量は、約２５，０００〜約５５，０００の範囲内にある。かかるコポリマーおよびその使用の記述は、１９７６年５月２５日、ヘイズ（Hays）に発行された米国特許第３，９５９，２３０号および１９７５年７月８日、バサダー（Basadur）に発行米国特許第３，８９３，９２９号に提供されている。
【０１１２】
もう１つの好ましい汚れ放出ポリマーは、平均分子量約３００〜約６，０００のポリオキシエチレングリコールに由来する約１０重量％〜約５０重量％のポリオキシエチレンテレフタレート単位と共に約１０重量％〜約１５重量％のエチレンテレフタレート単位を含有するエチレンテレフタレートの反復単位を有する、結晶化可能なポリエステルである。かかる結晶化可能なポリマー化合物のエチレンテレフタレート単位対ポリオキシエチレンテレフタレート単位のモル比は、約２：１〜約６：１である。このポリマーの例には、市販の物質、ゼルコン（Zelcon）４７８０（登録商標）、ゼルコン（Zelcon）５１２６（登録商標）（デュポン（Dupont）より）、およびミリーズＴ（MileaseT）（登録商標）（ＩＣＩより）が挙げられる。１９８７年１０月２７日にゴスリンク（Gosselink）に対して発行の米国特許第４，７０２，８５７号も参照のこと。
【０１１３】
極めて好ましい汚れ放出剤は下記一般式のポリマーである：
【化１７】
2004525271.tif 000018
式中、各Ｘは適切な末端保護基であり、各Ｘは一般的にＨおよび約１〜約４の炭素原子を含有するアルキルまたはアシル基から成る群より選択される。ｐは水溶性のために選択され、一般に約６〜約１１３、好ましくは約２０〜約５０である。ｕは、相対的に高いイオン強度を有する液状組成物における配合に決定的である。ｕが１０を超える物質はほとんどないはずである。更に、ｕが約３〜約５の範囲内の物質が少なくとも約２０％、好ましくは少なくとも約４０％あるべきである。
【０１１４】
Ｒ１４部分は本質的に１，４−フェニレン部分である。本明細書で使用するとき、「Ｒ１４部分が本質的に１，４−フェニレン部分である」とは、Ｒ１４部分が全体として１，４−フェニレン部分から成るか、または１，４−フェニレン部分がその他のアリーレンまたはアルカリレン部分、アルキレン部分、アルケニレン部分、またはその混合物で部分的に置換される化合物をいう。１，４−フェニレンを部分的に置換することができるアリーレンおよびアルカリレン部分には、１，３−フェニレン、１，２−フェニレン、１，８−ナフチレン、１，４−ナフチレン、２，２−ビフェニレン、４，４−ビフェニレン、およびこれらの混合物が挙げられる。部分的に置換することができるアルキレンおよびアルケニレン部分には、１，２−プロピレン、１，４−ブチレン、１，５−ペンチレン、１，６−ヘキサメチレン、１，７−ヘプタメチレン、１，８−オクタメチレン、１，４−シクロヘキシレン、およびこれらの混合物が挙げられる。
【０１１５】
Ｒ１４部分については、１，４−フェニレン以外の部分による部分置換の程度は、化合物の汚れ放出特性がいかなる程度であれ、逆に影響されないようにすべきである。一般に、許容することができる部分置換の程度は、化合物の主鎖長に依存し、すなわち、主鎖が長ければ長いほど、１，４−フェニレン部分に対して多くの部分置換を有することができる。通常、Ｒ１４が約５０％〜約１００％の１，４−フェニレン部分（１，４−フェニレン以外の部分は０％〜約５０％）を含む化合物が適切な汚れ放出活性を有する。例えば、イソフタル（１，３−フェニレン）酸対テレフタル（１，４−フェニレン）酸の４０：６０のモル比で製造されたポリステルは、適切な汚れ放出活性を有する。しかし、繊維製造に使用される大部分のポリエステルは、エチレンテレフタレート単位を含むので、最良の汚れ放出活性のために１，４−フェニレン以外の部分で部分的に置換する程度を最小限にするのが通常望ましい。好ましくは、Ｒ１４部分は全体的に（すなわち、約１００％を構成する）１，４−フェニレン部分からなり、すなわち、Ｒ１４部分はそれぞれ１，４−フェニレンである。
【０１１６】
Ｒ１５部分については、好適なエチレンまたは置換されるエチレン部分には、エチレン、１，２−プロピレン、１，２−ブチレン、１，２−ヘキシレン、３−メトキシ−１，２−プロピレン、およびこれらの混合物が挙げられる。好ましくは、Ｒ１５部分は、本質的にエチレン部分、１，２−プロピレン部分、またはその混合物である。大きな割合のエチレン部分を含むことは、化合物の汚れ放出活性を改善する傾向がある。
【０１１７】
大きな割合の１，２−プロピレン部分を含むことは、意外にも、化合物の水溶解性改善の傾向にする。従って、布帛ケア組成物が柔軟剤活性物質を含有する洗濯溶液に加えられる場合、１，２−プロピレン部分または類似の分枝状同等物は、汚れ放出ポリマーの任意の実質的な部分の組み入れにとって望ましい。好ましくは、約７５％〜約１００％が１，２−プロピレン部分である。
【０１１８】
各ｐの値は少なくとも約６、好ましくは少なくとも約１０である。各ｎに関する値は、通常約１２〜約１１３の範囲内である。典型的には、各ｐの値は約１２〜約４３の範囲内である。
【０１１９】
汚れ放出剤の更に完全な開示は、１９８９年４月４日、トリン（Trinh）、ゴセリンク（Gosselink）およびラッティンガー（Rattinger）に発行された米国特許第４，０１８，５６９号；１９７８年４月２８日、デッカー（Decker）、コイング（Konig）、ストラトホフ（Straathof）、およびゴセリンク（Gosselink）に発行された同第４，６６１，２６７号；１９８７年１０月２７日、ゴセリンク（Gosselink）に発行された同第４，７０２，８５７号；１９８７年１２月８日、ゴセリンク（Gosselink）およびディール（Diehl）に発行された同第４，７１１，７３０号；１９８８年６月７日、エバンス（Evans）、ハンチントン（Huntington）、スチュワート（Stewart）、ウルフ（Wolf）およびジマーラー（Zimmerer）に発行された同第４、７４９、５９６号；１９８９年２月２４日、エバンス（Evans）、ハンチントン（Huntington）、スチュワート（Stewart）、ウルフ（Wolf）およびジマーラー（Zimmerer）に発行された同第４，８０８，０８６号；１９８９年４月４日、トリン（Trinh）、ゴセリンク（Gosselink）、およびラッティンガー（Rattinger）に発行された同第４，８１８，５６９号；１９８９年１０月３１日、マルドナド（Maldonado）、トリン（Trinh）、およびゴセリンク（Gosselink）に発行された同第４，８７７，８９６号；１９９０年９月１１日、ゴセリンク（Gosselink）らに発行された同第４，９５６，４４７号；１９９０年１１月６日、シーベル（Scheibel）およびゴセリンク（Gosselink）に発行された同第４，９６８，４５１号；および１９９０年１２月１１日、マルドナド（Maldonado）、トリン（Trinh）、およびゴセリンク（Gosselink）に発行された同第４，９７６，８７９号に含有される。
【０１２０】
本発明で有用なポリマーの汚れ放出活性剤はまた、ヒドロキシエーテルセルロース性ポリマーなどのようなセルロース性誘導体を包含してもよい。かかる作用剤は市販されており、メトセル（METHOCEL）（ダウ（Dow））のようなセルロースのヒドロキシエーテルが挙げられる。本明細書で使用するためのセルロース性汚れ放出剤には、Ｃ１〜Ｃ４アルキルおよびＣ４ヒドロキシアルキルセルロースから成る群より選択されるものも挙げられる。１９７６年１２月２８日、ニコル（Nicol）らへ発行された米国特許第４，０００，０９３号を参照のこと。
【０１２１】
ポリ（ビニルエステル）疎水性セグメントを特徴とする汚れ放出剤には、ポリ（ビニルエステル）のグラフトコポリマー、例えば、Ｃ１〜Ｃ６ビニルエステル、好ましくは、ポリエチレンオキシド主鎖のようなポリアルキレンオキシド主鎖にグラフトされたポリ（ビニルアセテート）が挙げられる。１９８７年４月２２日、クド（Kud）らへ発行された欧州特許出願ＥＰ−Ａ−０，２１９，０４８を参照のこと。市販されているこの種類の汚れ放出剤には、ソカラン（SOKALAN）型の物質、例えばＢＡＳＦ（ドイツ）より入手可能なソカラン（SOKALAN）ＨＰ−２２が挙げられる。
【０１２２】
さらにもう１つの好ましい汚れ放出剤は、テレフタロイル単位、スルホイソテレフタロイル単位、オキシエチレンオキシおよびオキシ−１，２−プロピレン単位の反復単位を有するオリゴマーである。反復単位はオリゴマーの主鎖を形成し、好ましくは、改変されたイセチオネートの末端キャップで終了する。この種の特に好ましい汚れ放出剤は、約１のスルホイソフタロイル単位、５つのテレフタロイル単位、約１．７〜約１．８の比のオキシエチレンオキシとオキシ−１，２−プロピレンオキシ単位およびナトリウム２−（２−ヒドロキシエトキシ）−エタンスルホネートの２つの末端キャップ単位を含む。前記汚れ放出剤は、オリゴマーの約０．５重量％〜約２０重量％の、好ましくはキシレンスルホネート、クメンスルホネート、トルエンスルホネート、およびこれらの混合物から成る群より選択される結晶低減安定剤もまた含む。
【０１２３】
本発明の組成物は、水溶性エトキシル化アミン、最も好ましくはエトキシル化テトラエチレンペンタミンのような汚れ放出剤および再付着防止剤を含有してもよい。代表的なエトキシル化アミンは、１９８６年７月１日にヴァンダーミーア（VanderMeer）へ発行された米国特許第４，５９７，８９８号に更に記載されている。
【０１２４】
疎水性分散剤は、特に粘土染みの最適な除去利益をもたらすために適している。それ故、本発明の好ましい組成物は、約０．１重量％から、好ましくは約５重量％から、より好ましくは約１０重量％から、約８０重量％まで、好ましくは約５０重量％まで、より好ましくは約２５重量％までの、下記式を有する疎水性ポリアミン分散剤を含む：
【化１８】
2004525271.tif 000019
式中、Ｒ、Ｒ１およびＢは、好適には本願に引用され援用される１９９６年１０月１５日にワトソン（Watson）らへ発行された米国特許第５，５６５，１４５号に記載されており、ｗ、ｘ、およびｙは置換の前に好ましくは少なくとも約１２００ダルトン（約２ゼプトグラム）、より好ましくは約１８００ダルトン（約３ゼプトグラム）の主鎖を提供する値を有する。Ｒ１単位は好ましくは下記式を有するアルキレンオキシ単位である：
−ＣＨ２ＣＨＲ’Ｏ）ｍ（ＣＨ２ＣＨ２Ｏ）ｎＨ
式中、Ｒ’はメチルまたはエチルであり、ｍおよびｎは好ましくは約０〜約５０であり、ただしｍ＋ｎにより与えられるアルコキシ化の平均値が少なくとも約０．５であることを規定する。
【０１２５】
９．防腐剤
任意にではあるが好ましくは、抗菌防腐剤を本発明の組成物に、特に安定剤がセルロースでできている場合には添加することができる。事実、セルロース物質は、特にそれらが水性組成物中にある場合、特定の微生物の最も主要な培養地となり得る。この欠点は結果として、かなり長い任意の期間における溶液の保存安定性の問題につながり得る。特定の微生物による汚染とその後の細菌の成長により、溶液は見苦しくおよび／または悪臭がひどくなり得る。溶液中における細菌の成長は、それが生じた場合には極めて好ましくないことであり、組成物の保存安定性を高めるために、細菌の成長を抑制および／または規制するのに有効な抗菌防腐剤を含むことは極めて好ましい。
【０１２６】
広域スペクトルの防腐剤、例えば、バクテリア（グラム陽性およびグラム陰性の両方）および真菌の両方に有効な防腐剤を使用することが好ましい。限定されたスペクトルの防腐剤、例えば、単一の微生物群、例えば、真菌にしか有効ではない防腐剤は、優れたおよび／または補足した活性を持つ広域スペクトル防腐剤またはその他の限定されたスペクトル防腐剤と組み合わせて使用し得る。広域スペクトル防腐剤の混合物も使用し得る。汚染細菌の特定の群が（グラム陰性のように）問題がある場合には、前述のようなアミノカルボキシレートキレート剤を単独でまたは強化剤として、その他の防腐剤と共に使用し得る。例えば、エチレンジアミン四酢酸（ＥＤＴＡ）、ヒドロキシエチレンジアミン三酢酸、ジエチレントリアミン五酢酸、およびその他のアミノカルボキシレートキレート剤、およびそれらの混合物、およびそれらの塩、およびそれらの混合物を包含するこれらのキレート剤は、グラム陰性バクテリア、とりわけシュードモナス（Pseudomonas）属に対する防腐剤の有効性を増大することができる。
【０１２７】
本発明に有効な抗菌防腐剤は、生物致死性化合物すなわち殺微生物物質、または静菌防腐剤化合物すなわち微生物の増殖を阻害するおよび／または抑制する物質が包含される。普通はパラベンとして知られるｐ−ヒドロキシ安息香酸の短鎖アルキルエステルのような周知の防腐剤、更に３，４，４’−トリクロロカルバニリドまたはトリクロカルバンとしても知られるＮ−（４−クロロフェニル）−Ｎ’−（３，４−ジクロロフェニル）尿素、普通はトリクロサンとして知られる２，４，４’−トリクロロ−２’−ヒドロキシジフェニルエーテルは、本発明の有用な防腐剤である。
【０１２８】
さらに好ましい他の防腐剤は、水溶性防腐剤、すなわち１００ｍｌの水に少なくとも約０．３ｇの水に対する溶解度、すなわち、室温で約０．３％より大きい、好ましくは室温で約０．５％より大きい水に対する溶解度を有する防腐剤である。
【０１２９】
本発明の防腐剤は、有効量にて包含される。本明細書において定義される「有効量」という用語は、具体的な期間、腐敗を防止したり、または不適切にも添加された微生物の成長を防止したりするのに十分な濃度を意味する。換言すれば、防腐剤は、微生物により生成された臭気を除くために組成物が付着する面上の微生物を殺すのに使用されるのではない。それよりも、防腐剤は、好ましくは溶液の腐敗を防止し、組成物の貯蔵寿命を長くするために用いられる。防腐剤の好ましい濃度は、使用組成物の約０．０００１重量％〜約０．５重量％、更に好ましくは約０．０００２重量％〜約０．２重量％、最も好ましくは約０．０００３重量％〜約０．１重量％である。
【０１３０】
防腐剤は布帛の見かけを損なわない、例えば、変色、着色、漂白を生じないであろう、いかなる有機防腐剤物質であることもできる。好ましい水溶性防腐剤には、有機イオウ化合物、ハロゲン化合物、環状有機窒素化合物、低分子量のアルデヒド、四級アンモニウム化合物、デヒドロ酢酸、フェニル化合物およびフェノール化合物、およびこれらの混合物が包含される。本発明の使用に好ましい水溶性防腐剤の非限定例は本明細書において前述し参考として組み入れている米国特許第５，７１４，１３７号および国際特許出願番号ＰＣＴ／ＵＳ９８／１２１５４  ２９〜３６頁に見出される。
【０１３１】
本発明への使用に好ましい水溶性防腐剤は、有機イオウ化合物である。本発明への使用に適切な有機イオウ化合物の幾つかの非限定的な例は下記である。
【０１３２】
ａ）３−イソチアゾロン化合物
好ましい防腐剤は、３−イソチアゾロン基を含有する抗菌有機防腐剤である。このクラスの化合物は、１９８１年５月５日にルイス（Lewis）らへ発行された米国特許第４，２６５，８９９号に開示されており、参考として引用し本明細書に組み入れる。好ましい防腐剤は、５−クロロ−２−メチル−４−イソチアゾリン−３−オンおよび２−メチル−４−イソチアゾリン−３−オンの水溶性混合物であり、更に好ましくは約７７％の５−クロロ−２−メチル−４−イソチアゾリン−３−オンおよび約２３％の２−メチル−４−イソチアゾリン−３−オンの水溶性混合物、カトン（Kathon）（登録商標）ＣＧという商品名でローム・アンド・ハース社（Rohm ansd Haas Company）より約１．５％水溶液として入手可能な広域スペクトル防腐剤である。
【０１３３】
カトン（Kathon）（登録商標）を本発明の防腐剤として使用するとき、組成物の約０．０００１重量％〜約０．０１重量％、好ましくは約０．０００２重量％〜約０．００５重量％、更に好ましくは約０．０００３重量％〜約０．００３重量％、最も好ましくは約０．０００４重量％〜約０．００２重量％の濃度で存在する。
【０１３４】
その他のイソチアゾリンには、商品名プロキセル（Proxel）（登録商標）製品として入手可能な１，２−ベンズイソチアゾリン−３−オン、；商品名プロメキサル（Promexal）（登録商標）して入手可能な２−メチル−４，５−トリメチレン−４−イソチアゾリン−３−オンが包含される。プロキセル（Proxel）およびプロメキサル（Promexal）はいずれもゼネカ（Zeneca）より市販されている。それらは、広範囲のｐＨ（すなわち、４〜１２）に亘って安定性を示す。いずれも活性ハロゲンを含有せず、そしていずれもホルムアルデヒド放出防腐剤ではない。プロキセル（Proxel）およびプロメキサル（Promexal）はいずれも、使用する組成物の約０．００１重量％〜約０．５重量％、好ましくは約０．００５重量％〜約０．０５重量％、および最も好ましくは約０．０１重量％〜約０．０２重量％の濃度で使用すると、典型的なグラム陰性およびグラム陽性バクテリア、真菌、および酵母に有効である。
【０１３５】
ｂ）ナトリウムピリチオン
その他の好ましい有機イオウ防腐剤は、水への溶解度が約５０％であるナトリウムピリチオンである。ナトリウムピリチオンを本発明の防腐剤として使用するとき、典型的には使用する組成物の約０．０００１重量％〜約０．０１重量％、好ましくは約０．０００２重量％〜約０．００５重量％、更に好ましくは約０．０００３重量％〜約０．００３重量％の濃度で存在する。
【０１３６】
好ましい有機イオウ化合物の混合物もまた、本発明の防腐剤として使用し得る。
【０１３７】
１０．抗菌剤
布帛の衛生化は、抗細菌性ハロゲン化化合物、第四級化合物、フェノール化合物、および金属塩、好ましくは第四級化合物のような抗菌剤物質を含有する組成物を使用することにより達成することができる。これらの抗菌物の典型的な開示は、国際特許出願番号ＰＣＴ／ＵＳ９８／１２１５４の１７〜２０頁に見い出すことができる。
【０１３８】
ａ）ビグアナイド
本発明の組成物に有用で、殺菌剤／消毒剤並びに最終製品の防腐剤（下記参照）として機能し得るいくつかの、より堅牢な抗菌ハロゲン化化合物としては、１，１’−ヘキサメチレンビス（５−（ｐ−クロロフェニル）ビグアニド）が挙げられ、クロルヘキジン、および例えば、塩酸、酢酸およびグルコン酸との塩として一般に既知である。ジグルコン酸塩は高い水溶性、すなわち水に対し約７０％の溶解度を示し、二酢酸塩は水に対し約１．８％の溶解度を示す。
【０１３９】
他の有用なビグアニド化合物としては、ポリ（ヘキサメチレンビグアニド）塩酸塩を包含するコスモシ（Cosmoci）（登録商標）ＣＱ（登録商標）およびバントシル（Vantocil）（登録商標）ＩＢが挙げられる。その他の有効な陽イオン抗菌剤にはビス−ビグアニドアルカンが包含される。上記の使用可能な水溶性塩は塩化物、臭化物、サルフェート、メチルスルホネートおよびエチルスルホネートのようなアルキルスルホネート、ｐ−メチルフェニルスルホネートのようなフェニルスルホネート、ニトレート、アセテート、グルコナートなどである。
【０１４０】
好適なビスビグアナイド化合物の例は、クロルヘキシジン；１，６−ビス−（２−エチルヘキシルビグアナイドヘキサン）ジヒドロクロリド；１，６−ジ−（Ｎ１，Ｎ１’−フェニルジグアナイド−Ｎ５，Ｎ５’）−ヘキサンテトラヒドロクロリド；１，６−ジ−（Ｎ１，Ｎ１’−フェニル−Ｎ１，Ｎ１’−メチルジグアナイド−Ｎ５，Ｎ５’）−ヘキサンジヒドロクロリド；１，６−ジ（Ｎ１，Ｎ１’−ｏ−クロロフェニルジグアナイド−Ｎ５，Ｎ５’）−ヘキサンジヒドロクロリド；１，６−ジ（Ｎ１，Ｎ１’−２，６−ジクロロフェニルジグアナイド−Ｎ５，Ｎ５’）ヘキサンジヒドロクロリド；１，６−ジ［Ｎ１，Ｎ１’−．β．−（ｐ−メトキシフェニル）ジグアナイド−Ｎ５，Ｎ５’］−ヘキサンジヒドロクロリド；１，６−ジ（Ｎ１，Ｎ１’−．α．−メチル−．β．−フェニルジグアナイド−Ｎ５，Ｎ５’）−ヘキサンジヒドロクロリド；１，６−ジ（Ｎ１，Ｎ１’−ｐ−ニトロフェニルジグアナイド−Ｎ５，Ｎ５’）ヘキサンジヒドロクロリド；．ω．：．ω．’−ジ−（Ｎ１，Ｎ１’−フェニルジグアナイド−Ｎ５，Ｎ５’）−ジ−ｎ−プロピルエーテルジヒドロクロリド；ω：ω’−ジ（Ｎ１，Ｎ１’−ｐ−クロロフェニルジグアナイド−Ｎ５，Ｎ５’）−ジ−ｎ−プロピルエーテルテトラヒドロクロリド；１，６−ジ（Ｎ１，Ｎ１’−２，４−ジヒドロフェニルジグアナイド−Ｎ５，Ｎ５’）ヘキサンテトラヒドロクロリド；１，６−ジ（Ｎ１，Ｎ１’−ｐ−メチルフェニルジグアナイド−Ｎ５，Ｎ５’）ヘキサンジヒドロクロリド；１，６−ジ（Ｎ１，Ｎ１’−２，４，５−トリクロロフェニルジグアナイド−Ｎ５，Ｎ５’）ヘキサンテトラヒドロクロリド；１，６−ジ［Ｎ１，Ｎ１’−．α．−（ｐ−クロロフェニル）エチルジグアナイド−Ｎ５，Ｎ５’］ヘキサンジヒドロクロリド；．ω．：．ω．’ジ（Ｎ１，Ｎ１’−ｐ−クロロフェニルジグアナイド−Ｎ５，Ｎ５’）ｍ−キシレンジヒドロクロリド；１，１２−ジ（Ｎ１，Ｎ１’−ｐ−クロロフェニルジグアナイド−Ｎ５，Ｎ５’）ドデカンジヒドロクロリド；１，１０−ジ（Ｎ１，Ｎ１’−フェニルジグアナイド−Ｎ５，Ｎ５’）−デカンテトラヒドロクロリド；１，１２−ジ（Ｎ１，Ｎ１’−フェニルジグアナイド−Ｎ５，Ｎ５’）ドデカンテトラヒドロクロリド；１，６−ジ（Ｎ１，Ｎ１’−ｏ−クロロフェニルジグアナイド−Ｎ５，Ｎ５’）ヘキサンジヒドロクロリド；１，６−ジ（Ｎ１，Ｎ１’−ｐ−クロロフェニルジグアナイド−Ｎ５，Ｎ５’）−ヘキサンテトラヒドロクロリド；エチレンビス（１−トリルビグアナイド）；エチレンビス（ｐ−トリルビグアナイド）；エチレンビス（３，５−ジメチルフェニルビグアナイド）；エチレンビス（ｐ−第三級−アミルフェニルビグアナイド）；エチレンビス（ノニルフェニルビグアナイド）；エチレンビス（フェニルビグアナイド）；エチレンビス（Ｎ−ブチルフェニルビグアナイド）；エチレンビス（２，５−ジエトキシフェニルビグアナイド）；エチレンビス（２，４−ジメチルフェニルビグアナイド）；エチレンビス（ｏ−ジフェニルビグアナイド）；エチレンビス（混合アミルナフチルビグアナイド）；Ｎ−ブチルエチレンビス（フェニルビグアナイド）；トリメチレンビス（ｏ−���リルビグアナイド）；Ｎ−ブチルトリメチレンビス（フェニルビグアナイド）；および上記すべての、例えばアセテート；グルコネート；ヒドロクロリド；ヒドロブロミド；シトレート；ビスルフィト；フルオリド；ポリマレエート；Ｎ−ココナツアルキルサルコシネート；ホスファイト；ヒポホスファイト；ペルフルオロオクタノエート；シリケート；ソルベート；サリチラート；マレエート；タルトレート；フマレート；エチレンジアミンテトラアセテート；イミノジアセテート；シナメート；チオシアネート；アルギネート；ピロメリテート；テトラカルボキシブチレート；ベンゾエート；グルタレート；モノフルオロホスフェート；およびペルフルオロプロピオネート、およびこれらの混合物のような相当する製薬上許容できる塩である。この群の好ましい抗菌剤は、１，６−ジ−（Ｎ１，Ｎ１’−フェニルジグアニド−Ｎ５，Ｎ５’）−ヘキサンテトラヒドロクロリド；１，６−ジ（Ｎ１，Ｎ１’−ｏ−クロロフェニルジグアニド−Ｎ５，Ｎ５’）−ヘキサンジヒドロクロリド；１，６−ジ（Ｎ１，Ｎ１’−２，６−ジクロロフェニルジグアニド−Ｎ５，Ｎ５’）ヘキサンジヒドロクロリド；１，６−ジ（Ｎ１，Ｎ１’−２，４−ジクロロフェニルジグアニド−Ｎ５，Ｎ５’）ヘキサンテトラヒドロクロリド；１，６−ジ［Ｎ１，Ｎ１’−．α．−（ｐ−クロロフェニル）エチルジグアニド−Ｎ５，Ｎ５’］ヘキサンジヒドロクロリド；．ω．：．ω．’ジ（Ｎ１，Ｎ１’−ｐ−クロロフェニルジグアニド−Ｎ５，Ｎ５’）ｍ−キシレンジヒドロクロリド；１，１２−ジ（Ｎ１，Ｎ１’−ｐ−クロロフェニルジグアニド−Ｎ５，Ｎ５’）ドデカンジヒドロクロリド；１，６−ジ（Ｎ１，Ｎ１’−ｏ−クロロフェニルジグアニド−Ｎ５，Ｎ５’）ヘキサンジヒドロクロリド；１，６−ジ（Ｎ１，Ｎ１’−ｐ−クロロフェニルジグアニド−Ｎ５，Ｎ５’）−ヘキサンテトラヒドロクロリド；およびそれらの混合物であり；更に好ましくは、１，６−ジ（Ｎ１，Ｎ１’−ｏ−クロロフェニルジグアニド−Ｎ５，Ｎ５’）−ヘキサンジヒドロクロリド；１，６−ジ（Ｎ１，Ｎ１’−２，６−ジクロロフェニルジグアニド−Ｎ５，Ｎ５’）ヘキサンジヒドロクロリド；１，６−ジ（Ｎ１，Ｎ１’−２，４−ジクロロフェニルジグアニド−Ｎ５，Ｎ５’）ヘキサンテトラヒドロクロリド；１，６−ジ［Ｎ１，Ｎ１’−．α．−（ｐ−クロロフェニル）エチルジグアニド−Ｎ５，Ｎ５’］ヘキサンジヒドロクロリド；．ω．：．ω．’ジ（Ｎ１，Ｎ１’−ｐ−クロロフェニルジグアニド−Ｎ５，Ｎ５’）ｍ−キシレンジヒドロクロリド；１，１２−ジ（Ｎ１，Ｎ１’−ｐ−クロロフェニルジグアニド−Ｎ５，Ｎ５’）ドデカンジヒドロクロリド；１，６−ジ（Ｎ１，Ｎ１’−ｏ−クロロフェニルジグアニド−Ｎ５，Ｎ５’）ヘキサンジヒドロクロリド；１，６−ジ（Ｎ１，Ｎ１’−ｐ−クロロフェニルジグアニド−Ｎ５，Ｎ５’）−ヘキサンテトラヒドロクロリド；およびそれらの混合物である。上述したように、選択されたビスビグアニドは、クロロヘキシジンの塩、例えば、ジグルコネート、ジヒドロクロリド、ジアセテートおよびこれらの混合物である。
【０１４１】
ｂ）第四級化合物
本発明の組成物の抗菌活性物質として、幅広い第四級化合物も使用できる。有用な第四級化合物の非限定例には、次のものが挙げられる：（１）塩化ベンザルコニウムおよび／または置換塩化ベンザルコニウム、例えば市販されているバルクアット（Barquat）（登録商標）（ロンザ（Lonza）より入手可能）、マクアット（Maquat）（登録商標）（マソン（Mason）より入手可能）、バリクアット（Variquat）（登録商標）（ゴールドシュミット（Goldschmidt）より入手可能）、およびハイアミン（Hyamine）（登録商標）（ロンザ（Lonza）より入手可能）；（２）ジ（Ｃ６〜Ｃ１４）アルキルジ短鎖（Ｃ１〜４アルキルおよび／またはヒドロキシアルキル）四級化合物、例えばロンザ（Lonza）のバーダック（Bardac）（登録商標）製品、（３）Ｎ−（３−クロロアリル）ヘキサミニウムクロリド、例えばダウ（Dow）より入手可能なダウィシド（Dowicide）（登録商標）およびダウィシル（Dowicil）（登録商標）；（４）塩化ベンゼトニウム、例えばローム・アンド・ハ−ス（Rohm& Haas）からのハイアミン（Hyamine）（登録商標）１６２２；（５）ロームアンドハ−ス（Rohm & Haas）より供給されているハイアミン（Hyamine）（登録商標）１０Ｘに代表される塩化メチルベンゼトニウム、（６）塩化セチルピリジニウム、例えばメレルラブズ（Merrell Labs）より入手可能なセパコール（Cepacol）クロリド。好ましいジアルキル四級化合物の例は、ジデシルジメチルアンモニウムクロリド（バーダック（Bardac）２２）、およびジオクチルジメチルアンモニウムクロリド（バーダック（Bardac）２０５０）のようなジ（Ｃ８〜Ｃ１２）ジアルキルジメチルアンモニウムクロリドである。
【０１４２】
界面活性剤は、抗菌剤に加える場合、改善された抗菌作用を提供する傾向がある。シロキサン界面活性剤の場合、特にシロキサン界面活性剤がクロルヘキシジン抗菌活性物質と組み合わせられる場合にその傾向が強い。
【０１４３】
本発明の組成物および物品で使用される殺菌剤の例としては、グルタールアルデヒド、ホルムアルデヒド、ペンシルバニア州フィラデルフィアに位置するイノレックス・ケミカルズ（Inolex Chemicals）により商標名ブロノポール（Bronopol）（登録商標）で販売される２−ブロモ−２−ニトロ−プロパン−１，３−ジオール；ローム・アンド・ハース・カンパニー（Rohm and Haas Company）により商標名カトン（Kathon）ＣＧ／ＩＣＰ（登録商標）で販売される５−クロロ−２−メチル−４−イソチアゾリン−３−オンおよび２−メチル−４−イソチアゾリン−３−オンの混合物が挙げられる。
【０１４４】
ｃ）金属塩
多数の金属塩はその抗菌効果が知られている。これらの金属塩は、銅塩、亜鉛塩、およびこれらの混合物から成る群より選択されてもよい。
【０１４５】
銅塩はある種の抗菌効果を有する。具体的には、アビエチン酸第二銅は殺真菌剤として、酢酸銅がカビ阻害物質として、塩化第二銅は殺真菌剤として、乳酸銅は殺真菌剤として、硫酸銅は殺菌剤として、作用する。銅塩もまた幾分かの悪臭抑制能力を有する。例えば、米国特許第３，１７２，８１７号（レウポルド（Leupold）ら）は、銅塩および亜鉛塩を包含するアシルアセトンの少なくともやや水溶性の塩を含んでなる使い捨ての物品を処理するための脱臭組成物を記載している。
【０１４６】
１１．他の任意成分
本発明の組成物はまた、繊維処理組成物に従来使用される任意の成分を包含してもよく、例えば、スルホン化亜鉛および／またはアルミニウムフタロシアニン、香料、塩素スカベンジャー、着色剤などの光活性化漂白剤、光沢剤；界面活性剤；抗収縮剤；布帛クリスペン剤；スポッティング剤（spotting agents）；殺菌剤；殺真菌剤；ブチル化ヒドロキシトルエン、腐食防止剤などの酸化防止剤、およびこれらの混合物である。
【０１４７】
ＩＩ．（組成物の形状）
本発明の組成物は、各種の物理的形状をとることが可能であり、液状、液ゲル状、ペースト状、水性または非水性の発泡状、粉末状、顆粒状、および錠剤形が含まれる。よりよい分散性のために、組成物の好ましい形状は液状である。液状の場合、組成物はまた、スプレー或いはエアゾール散布器などの散布手段により散布してもよい。
【０１４８】
ＩＩＩ．（使用方法）
（濯ぎ工程）
該組成物は、いわゆる濯ぎ過程で使用でき、その過程ではまず上記で定義した組成物を水性の濯ぎ浴溶液に希釈する。続いて、洗剤液で洗浄され、任意に最初の非効率な濯ぎ工程で濯いで（この文章における「非効率」は残留洗剤および／または汚れが布帛に持ち越される可能性があることを意味する）洗濯した布帛を、希釈した組成物を有する濯ぎ溶液中へ入れる。もちろん、布帛を浴に一旦浸漬した後、組成物を水性浴中に導入してもよい。この工程に続き、濯ぎ浴溶液中の布帛に攪拌を加え、泡の崩壊を引き起こし、残留汚れおよび界面活性剤を除去する。次いで、布帛は任意に乾燥の前に絞る。
【０１４９】
それ故に、予め洗剤液中で洗浄した布帛を本発明の組成物と接触させる工程を含む布帛の濯ぎ方法を提供する。同様に、本発明は、高泡洗剤溶液中で洗浄された布帛に柔軟性を付与する一方で、濯ぎ溶液の発泡または泡を低減させ、望ましくないフロックを形成しないための本発明の組成物の使用を提供する。
【０１５０】
この濯ぎ工程は、タライまたはバケツ中で手動で、非自動洗濯機中で、または自動洗濯機中で行ってもよい。手洗いを行う場合、洗濯した布帛は洗剤液から取り除き絞る。次に本発明の組成物が淡水に加えられ、続いて、直接または任意の非効率な最初の濯ぎ工程の後で、従来の濯ぎ慣習に従って、該組成物を含有する水で布帛を濯ぐ。布帛を続いて、従来の手段を用いて乾燥する。
【実施例】
【０１５１】
ＩＶ．（試験方法および実施例）
実施例１、２および３は本発明を例示しているが、実施例４および５はフロック形成試験（実施例４）または泡低減試験（実施例５）に合格していない。
【表１】
2004525271.tif 000020
（１）ジ（ステアロイルオキシエチル）ジメチルアンモニウムクロリド、８５％活性
（２）脂肪酸対メチルジエタノールアミンのモル比１．５：１での反応生成物を塩化メチルで四級化して得られるＮ，Ｎ−ビス（ステアロイルオキシエチル）Ｎ，Ｎ−ジメチルアンモニウムクロリドおよびＮ−（ステアロイルオキシエチル）Ｎ−ヒドロキシエチルＮ，Ｎジメチルアンモニウムクロリドの１：１モル混合物。
【０１５２】
（フロック形成試験方法）
残留陰イオン性界面活性剤を含有する濯ぎ溶液にフロック形成がないことは、本発明の本質的な特徴である。フロック形成は下記の試験方法により評価される：７５０グラムのドデシルベンゼンスルホン酸ナトリウム塩（工業グレード、アルドリッチ（Aldrich）よりカタログ番号２８，９９５−７で供給される）の約０．０２％溶液（２０〜２５℃および硬度１２ＵＳｇｐｇ（３グラム／リットル）の水を使用）を、１リットルの円筒形広口瓶（直径対高さの比が約５対８）に入れる。前記広口瓶を密閉し、１５秒間強く振とうして、溶液の表面に約３ｃｍの発泡を起こさせる。
【０１５３】
これに続き、試験する組成物５グラムを前記発泡溶液の表面に注ぐ。前記ビーカー内の溶液を、１００ｒｐｍの速度で３０秒間手動で攪拌する（長さ２０ｃｍ、０．５ｃｍのプラスチックヘラを用いる）。攪拌の１分後、溶液を回収皿に取り付けられた米国標準試験ふるい（ＡＳＴＭ  Ｅ１１規格第４０号、３５メッシュタイラー（Tyler）相当品、開口部４２５ミクロン、ふるい直径８インチ（２０ｃｍ））の表面上に均一に注ぐ。この皿の寸法は、７５０グラムの試験溶液を加えたときに、ふるいの網が皿の中の液面より少なくとも１ｃｍ下にあるような寸法である。ふるいをその後手で皿から持ち上げ（水平に保つ）、フロックの存在を検査する。試験溶液は、ふるい上に保持された目視フロックの総数が５０未満の場合に、フロックが「実質的にない」と定義される。試験溶液は、保持された目視フロックの数が１０未満の場合に、フロックが「ない」と定義される。ろ液は、同じ形の１リットル広口瓶に回収する。
【０１５４】
（泡低減試験）
柔軟（hand）組成物の泡低減特性は、本発明のもう１つの本質的な特徴である。泡の低減は下記の試験方法により定義される：７５０グラムのドデシルベンゼンスルホン酸、ナトリウム塩（工業グレード、アルドリッチ（Aldrich）よりカタログ番号２８,９９５−７で供給される）の約０．０２％溶液（２０〜２５℃および硬度１２ＵＳｇｐｇ（３グラム／リットル）の水を使用）を、１リットルの円筒形の広口瓶（直径対高さの比が約５対８）に入れる。この溶液を対照として使用する。前記照合溶液およびフロック形成試験（上記参照）で得られたろ液の両方を、約１５秒間強く振とうする。これは、照合溶液の上部に約３ｃｍの発泡を起こさせる。振とう終了の１５秒後、試験溶液上の発泡の残存を目視評価する。好適な組成物は、照合に対する泡の低減が少なくとも約９０％、好ましくは少なくとも約９５％、最も好ましくは少なくとも約９９％である。９９％とは、溶液の表面を部分的に覆う白い膜またはいくつかの散乱した空泡の任意の存在を除いて発泡がすべて消失する場合である。
【表２】
2004525271.tif 000021
（柔軟堅牢性試験方法）
濯ぎ液中の陰イオン性界面活性剤の存在が試験組成物により付与される柔軟性機能に及ぼす影響を、下記の試験により評価する。
【０１５５】
１本目の１リットル円筒形広口瓶（直径対高さの比が約５対８）に４００グラムの脱塩水を加え、２本目の同じ広口瓶に４００グラムのドデシルベンゼンスルホン酸、ナトリウム塩（工業グレード、アルドリッチ（Aldrich）よりカタログ番号２８，９９５−７で提供される）の約０．０２％溶液（２０〜２５℃の脱塩水を使用）を加える。２本目の広口瓶に、試験組成物を、最終溶液中の該柔軟剤活性物質（上記の定義による）の濃度が約０．０２％〜約０．０４％の範囲内になるような量で加える。１本目の広口瓶に、同じ試験組成物を２本目の広口瓶に加えた濃度の約７５％の濃度で加える。
【０１５６】
木綿のテリー布帛一片（市販の洗剤を用いて約６０℃で少なくとも３回洗浄したもの）、約４０グラムを、両方の広口瓶に入れる。広口瓶を水平回転振とう器（オービタルシェイカー：orbital shaker）（２００ｒｐｍで）上で約５分間振とうする。この後、布帛を広口瓶から取り出し、およその自重分の水を含有するまで絞る。１本目の広口瓶で処理された布帛を「照合」と表示し、２本目の広口瓶で処理された布帛を「試験」と表示する。布帛を一晩ライン乾燥し、その手触りを２名の判定員から成る専門委員会により評価する。判定員は、試験布帛または照合布帛のいずれが好ましいかを表明するよう求められる。この試験を１０回繰り返す（合計で２０の比較が得られる）。好適な組成物は、試験布帛が照合布帛と比較して柔軟性が大幅に低いと判断されない（すなわち、２０の比較のうち１５未満で照合製品が好まれる）ものである。
【０１５７】
ダウニ−・アロマ・デル・バスキー（Downy Aroma del Bosque）（Ｐ＆Ｇ，メキシコ）、スワビタル・フレスカ・プリマベーラ（Suavitel Fresca primavera）（コルゲート（Colgate）、メキシコ）および実施例３はこの試験に不合格である。実施例１および２はこの試験に合格である。
【国際公開パンフレット】
2004525271.tif 000025
2004525271.tif 000026
2004525271.tif 000027
2004525271.tif 000028
2004525271.tif 000029
2004525271.tif 000030
2004525271.tif 000031
2004525271.tif 000032
2004525271.tif 000033
2004525271.tif 000034
2004525271.tif 000035
2004525271.tif 000036
2004525271.tif 000037
2004525271.tif 000038
2004525271.tif 000039
2004525271.tif 000040
2004525271.tif 000041
2004525271.tif 000042
2004525271.tif 000043
2004525271.tif 000044
2004525271.tif 000045
2004525271.tif 000046
2004525271.tif 000047
2004525271.tif 000048
2004525271.tif 000049
2004525271.tif 000050
2004525271.tif 000051
2004525271.tif 000052
2004525271.tif 000053
2004525271.tif 000054
2004525271.tif 000055
2004525271.tif 000056
2004525271.tif 000057
2004525271.tif 000058
2004525271.tif 000059
2004525271.tif 000060
2004525271.tif 000061
2004525271.tif 000062
2004525271.tif 000063
2004525271.tif 000064
2004525271.tif 000065
2004525271.tif 000066
2004525271.tif 000067
2004525271.tif 000068
2004525271.tif 000069
【国際調査報告】
2004525271.tif 000070
2004525271.tif 000071
2004525271.tif 000072
2004525271.tif 000073
2004525271.tif 000074
2004525271.tif 000075